(57)【特許請求の範囲】
【請求項１】
ユーザ機器（ＵＥ）によるワイヤレス通信の方法であって、
１つまたは複数のパラメータに基づいて、前記ＵＥがマルチキャストブロードキャスト単一周波数ネットワーク（ＭＢＳＦＮ）エリアのサブ領域内に位置するかどうかを決定することと、
前記決定に基づいて、前記ＵＥが前記ＭＢＳＦＮエリアの前記サブ領域内に位置するときはブロードキャストを介して、および前記ＵＥが前記ＭＢＳＦＭエリア内に位置するものの前記サブ領域内には位置していないときはユニキャストを介して、サービスを受信すること、ここにおいて、前記ＭＢＳＦＮエリアはユニキャストエリアよりも小さく、前記サブ領域は、ＭＢＳＦＮセルによってカバーされるＭＢＳＦＮエリアよリ小さい、と、
基地局から、前記１つまたは複数のパラメータに関連付けられた１つまたは複数の閾値を受信することと、
前記１つまたは複数の閾値および前記１つまたは複数のパラメータに基づいて、ブロードキャストを介した前記サービスの受信とユニキャストを介した前記サービスの受信との間で切り替えることと、
基地局から、マルチキャスト制御チャネル（ＭＣＣＨ）上でまたはマルチキャストチャネルスケジューリング情報（ＭＳＩ）中で再送信インジケータを受信することと、
前記再送信インジケータを受信すると、前記基地局から、前記再送信インジケータに対応する信号のブロードキャスト再送信を受信することと、
前記信号を復号するために、前記信号の前記ブロードキャスト再送信と、前記ＵＥによって前に受信された前記信号の初回送信とを合成することと
を備える、方法。
【請求項２】
ユーザ機器（ＵＥ）によるワイヤレス通信の方法であって、
１つまたは複数のパラメータに基づいて、前記ＵＥがマルチキャストブロードキャスト単一周波数ネットワーク（ＭＢＳＦＮ）エリアのサブ領域内に位置するかどうかを決定することと、
前記決定に基づいて、前記ＵＥが前記ＭＢＳＦＮエリアの前記サブ領域内に位置するときはブロードキャストを介して、および前記ＵＥが前記ＭＢＳＦＭエリア内に位置するものの前記サブ領域内には位置していないときはユニキャストを介して、サービスを受信すること、ここにおいて、前記ＭＢＳＦＮエリアはユニキャストエリアよりも小さい、と、
基地局から、マルチキャスト制御チャネル（ＭＣＣＨ）上でまたはマルチキャストチャネルスケジューリング情報（ＭＳＩ）中で再送信インジケータを受信することと、
前記再送信インジケータを受信すると、前記基地局から、前記再送信インジケータに対応する信号のブロードキャスト再送信を受信することと、
前記信号を復号するために、前記信号の前記ブロードキャスト再送信と、前記ＵＥによって前に受信された前記信号の初回送信とを合成することと
を備える、方法。
【請求項３】
前記ＵＥは、ブロードキャストを介して前記サービスを受信し、前記方法は、
前記１つまたは複数のパラメータに基づいて、ブロードキャストを介した前記サービスの受信からユニキャストを介した前記サービスの受信に切り替えることをさらに備える、
請求項１または２に記載の方法。
【請求項４】
前記ＵＥは、ブロードキャストを介して前記サービスを受信し、前記方法は、
基地局からハンドオーバコマンドを受信すること、ここにおいて、前記ハンドオーバコマンドは、前記１つまたは複数のパラメータに基づいて前記基地局によって生成される、と、
前記ハンドオーバコマンドに基づいて、ブロードキャストを介した前記サービスの受信から、ユニキャストを介した前記サービスの受信に切り替えることと
をさらに備える、請求項１または２に記載の方法。
【請求項５】
前記ＵＥは、ユニキャストを介して前記サービスを受信し、前記方法は、
前記ＭＢＳＦＮエリアからの信号品質を測定することと、
前記測定された信号品質に基づいて、ユニキャストを介した前記サービスの受信から、ブロードキャストを介した前記サービスの受信に切り替えることと
をさらに備える、請求項１または２に記載の方法。
【請求項６】
前記ＵＥは、ユニキャストを介して前記サービスを受信し、前記方法は、
前記ＵＥのユニキャスト測定、ＭＢＳＦＮ測定、またはそれらの組合せを実施することと、
前記ＵＥの前記ユニキャスト測定、前記ＭＢＳＦＮ測定、またはそれらの組合せを、基地局に送信することと、
ユニキャストを介した前記サービスの受信から、ブロードキャストベースの前記送信を介した前記サービスの受信に切り替えるためのコマンドを前記基地局から受信することと、
前記コマンドに基づいて、ユニキャストを介した前記サービスの受信から、ブロードキャストを介した前記サービスの受信に切り替えることと
をさらに備える、請求項１または２に記載の方法。
【請求項７】
ユーザ機器（ＵＥ）によるワイヤレス通信の方法であって、
基地局から、マルチキャスト制御チャネル（ＭＣＣＨ）上でまたはマルチキャストチャネルスケジューリング情報（ＭＳＩ）中で再送信インジケータを受信することと、
前記再送信インジケータを受信すると、前記基地局から、前記再送信インジケータに対応する信号のブロードキャスト再送信を受信することと、
前記信号を復号するために、前記信号の前記ブロードキャスト再送信と、前記ＵＥによって前に受信された前記信号の初回送信とを合成することと
を備える方法。
【請求項８】
前記ブロードキャスト再送信は、前記信号の前記初回送信と同じマルチキャストチャネルスケジューリング期間（ＭＳＰ）または前記信号の前記初回送信とは異なるＭＳＰ中に実施される、
請求項７に記載の方法。
【請求項９】
前記基地局から、共通否定応答（ＮＡＣＫ）リソースに関連付けられた情報を受信することと、
前記ＵＥが前記信号を復号するのに失敗したとき、前記共通ＮＡＣＫリソースにより前記基地局にＮＡＣＫを送信すること、ここにおいて、前記共通ＮＡＣＫリソースは、前記ＵＥを含む、ＵＥのグループによって共有される、と
をさらに備え、
前記ＵＥは、前記送信されたＮＡＣＫのエネルギーメトリックに基づいて前記信号を再送信するという、マルチキャスト協調エンティティ（ＭＣＥ）による決定に基づいて、前記信号の前記ブロードキャスト再送信を前記基地局から受信する、
請求項７に記載の方法。
【請求項１０】
前記ＮＡＣＫリソースに関連付けられた前記情報は、システム情報ブロック１３（ＳＩＢ１３）、マルチキャスト制御チャネル（ＭＣＣＨ）、専用シグナリング、またはそれらの組合せにより、前記ＵＥにおいて受信される、
請求項９に記載の方法。
【請求項１１】
前記信号の前記ブロードキャスト再送信は、次のＭＳＰの１つまたは複数のパケット中で受信される、
請求項９に記載の方法。
【請求項１２】
前記ＵＥは、前記信号の初回送信と前記ブロードキャスト再送信とを区別するために、前記ブロードキャスト再送信の前に、前記再送信インジケータをマルチキャストチャネルスケジューリング情報（ＭＳＩ）中で受信する、
請求項９に記載の方法。
【請求項１３】
共通ＮＡＣＫリソースに関連付けられた情報と、グループ無線ネットワーク一時識別子（Ｇ−ＲＮＴＩ）とを前記基地局から受信することと、
前記ＵＥが前記信号を復号するのに失敗したとき、前記共通ＮＡＣＫリソースにより前記ＵＥからＮＡＣＫを送信すること、ここにおいて、前記共通ＮＡＣＫリソースは、前記ＵＥを含む、ＵＥのグループによって共有される、と
をさらに備え、
前記ＵＥは、前記Ｇ−ＲＮＴＩについてのスケジューリングおよび前記再送信インジケータに基づいて、前記信号の前記ブロードキャスト再送信を受信する、
請求項７に記載の方法。
【請求項１４】
ワイヤレス通信のためのユーザ機器（ＵＥ）であって、
１つまたは複数のパラメータに基づいて、前記ＵＥがマルチキャストブロードキャスト単一周波数ネットワーク（ＭＢＳＦＮ）エリアのサブ領域内に位置するかどうかを決定するための手段と、
前記決定に基づいて、前記ＵＥが前記ＭＢＳＦＮエリアの前記サブ領域内に位置するときはブロードキャストを介して、および前記ＵＥが前記ＭＢＳＦＮエリア内に位置するものの前記サブ領域内には位置していないときはユニキャストを介して、サービスを受信するための手段、ここにおいて、前記ＭＢＳＦＮエリアはユニキャストエリアよりも小さい、と、
基地局から、前記１つまたは複数のパラメータに関連付けられた１つまたは複数の閾値を受信するための手段と、
前記１つまたは複数の閾値および前記１つまたは複数のパラメータに基づいて、ブロードキャストを介した前記サービスの受信とユニキャストを介した前記サービスの受信との間で切り替えるための手段と、
基地局から、マルチキャスト制御チャネル（ＭＣＣＨ）上でまたはマルチキャストチャネルスケジューリング情報（ＭＳＩ）中で再送信インジケータを受信するための手段と、
前記再送信インジケータを受信すると、前記基地局から、前記再送信インジケータに対応する信号のブロードキャスト再送信を受信するための手段と、
前記信号を復号するために、前記信号の前記ブロードキャスト再送信と、前記ＵＥによって前に受信された前記信号の初回送信とを合成するための手段と
を備える、ＵＥ。
【請求項１５】
ワイヤレス通信のためのユーザ機器（ＵＥ）であって、
１つまたは複数のパラメータに基づいて、前記ＵＥがマルチキャストブロードキャスト単一周波数ネットワーク（ＭＢＳＦＮ）エリアのサブ領域内に位置するかどうかを決定するための手段と、
前記決定に基づいて、前記ＵＥが前記ＭＢＳＦＮエリアの前記サブ領域内に位置するときはブロードキャストを介して、および前記ＵＥが前記ＭＢＳＦＮエリア内に位置するものの前記サブ領域内には位置していないときはユニキャストを介して、サービスを受信するための手段、ここにおいて、前記ＭＢＳＦＮエリアはユニキャストエリアよりも小さい、と、
基地局から、マルチキャスト制御チャネル（ＭＣＣＨ）上でまたはマルチキャストチャネルスケジューリング情報（ＭＳＩ）中で再送信インジケータを受信するための手段と、
前記再送信インジケータを受信すると、前記基地局から、前記再送信インジケータに対応する信号のブロードキャスト再送信を受信するための手段と、
前記信号を復号するために、前記信号の前記ブロードキャスト再送信と、前記ＵＥによって前に受信された前記信号の初回送信とを合成するための手段と
を備える、ＵＥ。
【請求項１６】
ワイヤレス通信のためのユーザ機器（ＵＥ）であって、
基地局から、マルチキャスト制御チャネル（ＭＣＣＨ）上でまたはマルチキャストチャネルスケジューリング情報（ＭＳＩ）中で再送信インジケータを受信するための手段と、
前記再送信インジケータを受信すると、前記基地局から、前記再送信インジケータに対応する信号のブロードキャスト再送信を受信するための手段と、
前記信号を復号するために、前記信号の前記ブロードキャスト再送信と、前記ＵＥによって前に受信された前記信号の初回送信とを合成するための手段と
を備える、ＵＥ。
【発明の詳細な説明】
【関連出願の相互参照】
【０００１】
[0001]本出願は、参照によって本明細書にその全体が明白に組み込まれている、「ＳＭＡＬＬ  ＭＢＳＦＮ  ＥＮＨＡＮＣＥＭＥＮＴ」と題する、２０１４年１月８日に出願されたＰＣＴ出願第ＰＣＴ／ＣＮ２０１４／０７０３１０号の利益を主張する。
【技術分野】
【０００２】
[0002]本開示は概して、通信システムに関し、より詳細には、マルチキャストブロードキャスト単一周波数ネットワークに関する。
【背景技術】
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を利用することができる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球規模で通信することを可能にする共通プロトコルを与えるために様々な電気通信規格において採用されている。電気通信規格の一例は、ロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。本明細書で使用するように、ＤＬ通信は、ネットワークエンティティ（たとえば、発展型ノードＢ（ｅノードＢ））からユーザ機器（ＵＥ）への通信であり得る。さらに、本明細書で使用するように、ＵＬ通信は、ＵＥからネットワークエンティティへの通信であり得る。しかしながら、モバイルブロードバンドアクセスに対する需要が増加し続けるにつれて、ＬＴＥ技術のさらなる改善が必要である。好ましくは、これらの改善は、他の多元接続技術と、これらの技術を利用する電気通信規格とに適用可能であるべきである。
【発明の概要】
【０００５】
[0005]本開示の一態様では、方法、コンピュータプログラム製品、および装置が提供される。本装置はＵＥであり得る。装置は、１つまたは複数のパラメータに基づいて、装置が、マルチキャストブロードキャスト単一周波数ネットワーク（ＭＢＳＦＮ）エリアのサブ領域内に位置するかどうかを決定する。装置は、決定に基づいて、ＵＥがＭＢＳＦＮエリアのサブ領域内にあるときはブロードキャストを介して、またはＵＥがサブ領域内にないときはユニキャストを介してサービスを受信する。ある態様では、ＭＢＳＦＮエリアはユニキャストエリアよりも小さい。
【０００６】
[0006]別の態様では、装置はＵＥであり得る。装置は、１つまたは複数のパラメータに基づいて、ＵＥがＭＢＳＦＮエリアのサブ領域内に位置するかどうかを決定するための手段を含む。装置は、決定に基づいて、ＵＥがＭＢＳＦＮエリアのサブ領域内にあるときはブロードキャストを介して、またはＵＥがサブ領域内にないときはユニキャストを介してサービスを受信するための手段を含む。ある態様では、ＭＢＳＦＮエリアはユニキャストエリアよりも小さい。
【０００７】
[0007]別の態様では、装置はＵＥであり得る。本装置は、メモリと、メモリに結合された少なくとも１つのプロセッサとを含む。少なくとも１つのプロセッサは、１つまたは複数のパラメータに基づいて、装置がＭＢＳＦＮエリアのサブ領域内に位置するかどうかを決定するように、および決定に基づいて、ＵＥがＭＢＳＦＮエリアのサブ領域内にあるときはブロードキャストを介して、またはＵＥがサブ領域内にないときはユニキャストを介して、サービスを受信するように構成される。ある態様では、ＭＢＳＦＮエリアはユニキャストエリアよりも小さい。
【０００８】
[0008]別の態様では、コンピュータプログラム製品がＵＥ用に提供され得る。コンピュータプログラム製品は、１つまたは複数のパラメータに基づいて、ＵＥがＭＢＳＦＮエリアのサブ領域内に位置するかどうかを決定し、決定に基づいて、ＵＥがＭＢＳＦＮエリアのサブ領域内にあるときはブロードキャストを介して、またはＵＥがサブ領域内にないときはユニキャストを介して、サービスを受信するためのコードを含むコンピュータ可読媒体を含む。ある態様では、ＭＢＳＦＮエリアはユニキャストエリアよりも小さい。
【０００９】
[0009]本開示の別の態様では、方法、コンピュータプログラム製品、および装置が提供される。本装置は基地局であり得る。装置は、ＭＢＳＦＮエリアのサブ領域中のＵＥに、ブロードキャストを介してサービスを提供する。装置は、１つまたは複数のパラメータに関連付けられた信号をＵＥに送り、信号は、ＵＥを、ブロードキャストを介したサービスの受信から、ユニキャストを介したサービスの受信に切り替えさせる。ある態様では、ＭＢＳＦＮエリアはユニキャストエリアよりも小さい。
【００１０】
[0010]別の態様では、装置は基地局であり得る。装置は、ＭＢＳＦＮエリアのサブ領域中のＵＥに、ブロードキャストを介してサービスを提供するための手段を含む。装置は、１つまたは複数のパラメータに関連付けられた信号をＵＥに送るための手段を含み、信号は、ＵＥを、ブロードキャストを介したサービスの受信から、ユニキャストを介したサービスの受信に切り替えさせる。ある態様では、ＭＢＳＦＮエリアはユニキャストエリアよりも小さい。
【００１１】
[0011]別の態様では、装置は基地局であり得る。本装置は、メモリと、メモリに結合された少なくとも１つのプロセッサとを含む。少なくとも１つのプロセッサは、ＭＢＳＦＮエリアのサブ領域中のＵＥに、ブロードキャストを介してサービスを提供するように、および１つまたは複数のパラメータに関連付けられた信号をＵＥに送るように構成され、信号は、ＵＥを、ブロードキャストを介したサービスの受信から、受信、ユニキャストを介したサービスに切り替えさせる。ある態様では、ＭＢＳＦＮエリアはユニキャストエリアよりも小さい。
【００１２】
[0012]別の態様では、コンピュータプログラム製品が基地局用に提供され得る。コンピュータプログラム製品は、ＭＢＳＦＮエリアのサブ領域中のＵＥに、ブロードキャストを介してサービスを提供し、１つまたは複数のパラメータに関連付けられた信号をＵＥに送るためのコードを含むコンピュータ可読媒体を含み、信号は、ＵＥを、ブロードキャストを介したサービスの受信から、ユニキャストを介したサービスの受信に切り替えさせる。ある態様では、ＭＢＳＦＮエリアはユニキャストエリアよりも小さい。
【００１３】
[0013]本開示の別の態様では、方法、コンピュータプログラム製品、および装置が提供される。本装置は基地局であり得る。装置は、ユニキャストを介してＵＥにサービスを提供することができる。装置は、１つまたは複数のパラメータに関連付けられた信号をＵＥに送ることができ、信号は、ＭＢＳＦＮエリアのサブ領域中で、ＵＥを、ユニキャストを介したサービスの受信から、ブロードキャストを介したサービスの受信に切り替えさせる。ある態様では、ＭＢＳＦＮエリアはユニキャストエリアよりも小さい。
【００１４】
[0014]別の態様では、装置は基地局であり得る。装置は、ユニキャストを介してＵＥにサービスを提供するための手段を含む。装置は、１つまたは複数のパラメータに関連付けられた信号をＵＥに送るための手段を含み、信号は、ＭＢＳＦＮエリアのサブ領域中で、ＵＥを、ユニキャストを介したサービスの受信から、受信、ブロードキャストを介したサービスに切り替えさせる。ある態様では、ＭＢＳＦＮエリアはユニキャストエリアよりも小さい。
【００１５】
[0015]別の態様では、装置は基地局であり得る。本装置は、メモリと、メモリに結合された少なくとも１つのプロセッサとを含む。少なくとも１つのプロセッサは、ユニキャストを介してＵＥにサービスを提供するように、および１つまたは複数のパラメータに関連付けられた信号をＵＥに送るように構成され、信号は、ＭＢＳＦＮエリアのサブ領域中で、ＵＥを、ユニキャストを介したサービスの受信から、ブロードキャストを介したサービスの受信に切り替えさせる。ある態様では、ＭＢＳＦＮエリアはユニキャストエリアよりも小さい。
【００１６】
[0016]別の態様では、コンピュータプログラム製品が基地局用に提供され得る。コンピュータプログラム製品は、ユニキャストを介してＵＥにサービスを提供し、１つまたは複数のパラメータに関連付けられた信号をＵＥに送るためのコードを含むコンピュータ可読媒体を含み、信号は、ＭＢＳＦＮエリアのサブ領域中で、ＵＥを、ユニキャストを介したサービスの受信から、ブロードキャストを介したサービスの受信に切り替えさせる。ある態様では、ＭＢＳＦＮエリアはユニキャストエリアよりも小さい。
【００１７】
[0017]本開示の別の態様では、方法、コンピュータプログラム製品、および装置が提供される。本装置はＵＥであり得る。装置は、基地局から、再送信インジケータを受信する。装置は、再送信インジケータを受信すると、基地局から、再送信インジケータに対応する信号のブロードキャスト再送信を受信する。装置は、信号を復号するために、信号のブロードキャスト再送信と、装置によって前に受信された信号の初回送信とを合成する。
【００１８】
[0018]別の態様では、装置はＵＥであり得る。装置は、基地局から、再送信インジケータを受信するための手段を含む。装置は、再送信インジケータを受信すると、基地局から、再送信インジケータに対応する信号のブロードキャスト再送信を受信するための手段を含む。装置は、信号を復号するために、信号のブロードキャスト再送信と、装置によって前に受信された信号の初回送信とを合成するための手段を含む。
【００１９】
[0019]別の態様では、装置はＵＥであり得る。本装置は、メモリと、メモリに結合された少なくとも１つのプロセッサとを含む。少なくとも１つのプロセッサは、基地局から、再送信インジケータを受信するように、再送信インジケータを受信すると、基地局から、再送信インジケータに対応する信号のブロードキャスト再送信を受信するように、および信号を復号するために、信号のブロードキャスト再送信と、装置によって前に受信された信号の初回送信とを合成するように構成される。
【００２０】
[0020]別の態様では、コンピュータプログラム製品がＵＥ用に提供され得る。コンピュータプログラム製品は、基地局から、再送信インジケータを受信し、再送信インジケータを受信すると、再送信インジケータに対応する信号のブロードキャスト再送信を基地局から受信し、信号を復号するために、信号のブロードキャスト再送信と、ＵＥによって前に受信された信号の初回送信とを合成するためのコードを含むコンピュータ可読媒体を含む。
【００２１】
[0021]本開示の別の態様では、方法、コンピュータプログラム製品、および装置が提供される。本装置は基地局であり得る。装置は、信号の初回送信をＵＥに送る。装置は、再送信インジケータをＵＥに送る。装置は、信号のブロードキャスト再送信と信号の初回送信の合成に基づいて、信号の復号を円滑にするために、再送信インジケータを送った後、再送信インジケータに対応する信号のブロードキャスト再送信をＵＥに送る。
【００２２】
[0022]別の態様では、装置は基地局であり得る。装置は、信号の初回送信をＵＥに送るための手段を含む。装置は、再送信インジケータをＵＥに送るための手段を含む。装置は、信号のブロードキャスト再送信と信号の初回送信の合成に基づいて、信号の復号を円滑にするために、再送信インジケータを送った後、再送信インジケータに対応する信号のブロードキャスト再送信をＵＥに送るための手段を含む。
【００２３】
[0023]別の態様では、装置は基地局であり得る。本装置は、メモリと、メモリに結合された少なくとも１つのプロセッサとを含む。少なくとも１つのプロセッサは、信号の初回送信をＵＥに送るように、再送信インジケータをＵＥに送るように、および信号のブロードキャスト再送信と信号の初回送信の合成に基づいて、信号の復号を円滑にするために、再送信インジケータを送った後、再送信インジケータに対応する信号のブロードキャスト再送信をＵＥに送るように構成される。
【００２４】
[0024]別の態様では、コンピュータプログラム製品が基地局用に提供され得る。コンピュータプログラム製品は、信号の初回送信をＵＥに送り、再送信インジケータをＵＥに送り、信号のブロードキャスト再送信と信号の初回送信の合成に基づいて、信号の復号を円滑にするために、再送信インジケータを送った後、再送信インジケータに対応する信号のブロードキャスト再送信をＵＥに送るためのコードを含むコンピュータ可読媒体を含む。
【００２５】
[0025]本開示の別の態様では、方法、コンピュータプログラム製品、および装置が提供される。本装置はＵＥであり得る。装置は、装置のサービングセルからのサービングセルＭＢＭＳ信号と、ネイバーセルからのネイバーセルＭＢＭＳ信号とを受信する。装置は、サービングセルＭＢＭＳ信号とネイバーセルＭＢＭＳ信号との間の同期の程度を決定する。装置は、同期の程度に基づいて、サービングセルＭＢＭＳ信号とネイバーセルＭＢＭＳ信号とを合成する。
【００２６】
[0026]別の態様では、装置はＵＥであり得る。装置は、装置のサービングセルからのサービングセルＭＢＭＳ信号と、ネイバーセルからのネイバーセルＭＢＭＳ信号とを受信するための手段を含む。装置は、サービングセルＭＢＭＳ信号とネイバーセルＭＢＭＳ信号との間の同期の程度を決定するための手段を含む。装置は、同期の程度に基づいて、サービングセルＭＢＭＳ信号とネイバーセルＭＢＭＳ信号とを合成するための手段を含む。
【００２７】
[0027]別の態様では、装置はＵＥであり得る。本装置は、メモリと、メモリに結合された少なくとも１つのプロセッサとを含む。少なくとも１つのプロセッサは、装置のサービングセルからのサービングセルＭＢＭＳ信号と、ネイバーセルからのネイバーセルＭＢＭＳ信号とを受信するように、サービングセルＭＢＭＳ信号とネイバーセルＭＢＭＳ信号との間の同期の程度を決定するように、および同期の程度に基づいてサービングセルＭＢＭＳ信号とネイバーセルＭＢＭＳ信号とを合成するように構成される。
【００２８】
[0028]別の態様では、コンピュータプログラム製品がＵＥ用に提供され得る。コンピュータプログラム製品は、ＵＥのサービングセルからのサービングセルＭＢＭＳ信号と、少なくとも１つのネイバーセルからのネイバーセルＭＢＭＳ信号とを受信し、サービングセルＭＢＭＳ信号とネイバーセルＭＢＭＳ信号との間の同期の程度を決定し、同期の程度に基づいてサービングセルＭＢＭＳ信号とネイバーセルＭＢＭＳ信号と合成するためのコードを含むコンピュータ可読媒体を含む。
【図面の簡単な説明】
【００２９】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワークの中の発展型ノードＢおよびユーザ機器の一例を示す図。
【図７Ａ】マルチキャストブロードキャスト単一周波数ネットワーク中の発展型マルチメディアブロードキャストマルチキャストサービスチャネル構成の一例を示す図。
【図７Ｂ】マルチキャストチャネルスケジューリング情報メディアアクセス制御制御要素のフォーマットを示す図。
【図８Ａ】単一ＭＢＳＦＮセルをもつ単一サイトＭＢＳＦＮを有する例示的ネットワークを示す図。
【図８Ｂ】複数のＭＢＳＦＮセルをもつ小規模ＭＢＳＦＮを有する例示的ネットワークを示す図。
【図９】縮小ｅＭＢＭＳカバレージをもつ小規模ＭＢＳＦＮを有する例示的ネットワークを示す図。
【図１０Ａ】第２の手法の第１のソリューションを示す例示的図。
【図１０Ｂ】第２の手法の第２のソリューションの第１のオプションを示す例示的図。
【図１０Ｃ】第２の手法の第２のソリューションの第２のオプションを示す例示的図。
【図１１】複数のＭＢＳＦＮセルをもつ例示的ネットワークを示す図。
【図１２】第１の手法による、ワイヤレス通信の方法のフローチャート。
【図１３Ａ】図１２から展開するワイヤレス通信の方法のフローチャート。
【図１３Ｂ】図１２から展開するワイヤレス通信の方法のフローチャート。
【図１３Ｃ】図１２から展開するワイヤレス通信の方法のフローチャート。
【図１４Ａ】図１２から展開するワイヤレス通信の方法のフローチャート。
【図１４Ｂ】図１２から展開するワイヤレス通信の方法のフローチャート。
【図１５】第１の手法による、ワイヤレス通信の方法のフローチャート。
【図１６】第１の手法による、ワイヤレス通信の方法のフローチャート。
【図１７】第２の手法による、ワイヤレス通信の方法のフローチャート。
【図１８Ａ】図１７から展開するワイヤレス通信の方法のフローチャート。
【図１８Ｂ】図１７から展開するワイヤレス通信の方法のフローチャート。
【図１９】第２の手法による、ワイヤレス通信の方法のフローチャート。
【図２０Ａ】図１７から展開するワイヤレス通信の方法のフローチャート。
【図２０Ｂ】図１７から展開するワイヤレス通信の方法のフローチャート。
【図２１】第３の手法による、ワイヤレス通信の方法のフローチャート。
【図２２】例示的な装置中の様々なモジュール／手段／構成要素間のデータフローを示す概念データフロー図。
【図２３】処理システムを採用する装置のためのハードウェア実装の一例を示す図。
【図２４】例示的な装置中の様々なモジュール／手段／構成要素間のデータフローを示す概念データフロー図。
【図２５】処理システムを採用する装置のためのハードウェア実装の一例を示す図。
【発明を実施するための形態】
【００３０】
[0058]添付の図面に関して以下で説明される詳細な説明は、様々な構成の説明として意図されており、本明細書で説明される概念が実践され得る構成を表すことは意図されていない。詳細な説明は、種々の概念を完全に理解してもらう目的で、具体的な詳細を含む。しかしながら、これらの概念はこれらの具体的な詳細なしに実施され得ることが、当業者には明らかであろう。場合によっては、よく知られた構造および構成要素は、そのような概念を不明瞭にするのを避けるためにブロック図の形で示される。
【００３１】
[0059]次に、様々な装置および方法に関して電気通信システムのいくつかの態様が提示される。これらの装置および方法は、以下の発明を実施するための形態で説明され、様々なブロック、モジュール、構成要素、回路、ステップ、プロセス、アルゴリズムなど（「要素」と総称される）によって添付の図面に示される。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課された設計制約に依存する。
【００３２】
[0060]例として、要素、または要素の任意の部分、または要素の任意の組合せは、１つまたは複数のプロセッサを含む「処理システム」を用いて実装され得る。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアを含む。処理システムの中の１つまたは複数のプロセッサがソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されたい。
【００３３】
[0061]それに応じて、１つまたは複数の例示的な実施形態では、述べられる機能は、ハードウェア、ソフトウェア、ファームウェア、またはそれらの任意の組合せで実装されてよい。ソフトウェアで実装される場合、機能は、コンピュータ可読媒体上に記憶されるか、あるいはコンピュータ可読媒体上に１つもしくは複数の命令またはコードとして符号化され得る。コンピュータ可読媒体は、コンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）もしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る、任意の他の媒体を備えることができる。上記の組合せもコンピュータ可読媒体の範囲内に含まれるべきである。
【００３４】
[0062]図１は、ＬＴＥネットワークアーキテクチャ１００を示す図である。ＬＴＥネットワークアーキテクチャ１００は発展型パケットシステム（ＥＰＳ）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示される様々な概念は、回線交換サービスを提供するネットワークに拡張され得る。
【００３５】
[0063]Ｅ−ＵＴＲＡＮは、発展型ノードＢ（ｅＮＢ）１０６と、他のｅＮＢ１０８と、マルチキャスト協調エンティティ（ＭＣＥ）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ））を決定する。ＭＣＥ１２８は別個のエンティティ、またはｅＮＢ１０６の一部であり得る。ｅＮＢ１０６は、基地局、ノードＢ、アクセスポイント、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲームコンソール、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合もある。
【００３６】
[0064]ｅＮＢ１０６はＥＰＣ１１０に接続される。ＥＰＣ１１０は、モビリティ管理エンティティ（ＭＭＥ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ）１２６と、パケットデータネットワーク（ＰＤＮ）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を提供する。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダのＭＢＭＳ送信のための入口点として働くことができ、ＰＬＭＮ内のＭＢＭＳベアラサービスを認可および開始するために使用され得るし、ＭＢＭＳ送信をスケジュールおよび配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを分散するために使用され得るし、セッション管理（開始／停止）と、ｅＭＢＭＳ関係の課金情報を収集することとに関与することができる。
【００３７】
[0065]図２は、図１に示すようなＬＴＥネットワークアーキテクチャ１００におけるアクセスネットワーク２００の例を示す図である。この例では、アクセスネットワーク２００はいくつかのセルラー領域（セル）２０２に分割される。１つまたは複数のより低い電力クラスのｅＮＢ２０８が、セル２０２のうちの１つまたは複数と重複するセルラー領域２１０を有する場合がある。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）とすることができる。マクロｅＮＢ２０４はそれぞれ、個々のセル２０２に割り当てられ、セル２０２内のすべてのＵＥ２０６に、図１のＥＰＣ１１０へのアクセスポイントを与えるように構成される。アクセスネットワーク２００のこの例では中央コントローラは存在しないが、代替の構成では中央コントローラが使用され得る。ｅＮＢ２０４は、無線ベアラ制御、承認制御、モビリティ制御、スケジューリング、セキュリティ、および図１のサービングゲートウェイ１１６への接続性を含む、すべての無線関係の機能を担当する。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことができる。さらに、「ｅＮＢ」、「基地局」、および「セル」という用語は、本明細書では互換的に使用され得る。
【００３８】
[0066]アクセスネットワーク２００によって用いられる変調方式および多元接続方式は、導入されている特定の電気通信規格に応じて異なり得る。ＬＴＥ適用例では、周波数分割複信（ＦＤＤ）と時分割複信（ＴＤＤ）の両方をサポートするために、ＤＬ上でＯＦＤＭが使用され、ＵＬ上でＳＣ−ＦＤＭＡが使用される。当業者であれば以下の詳細な説明から容易に理解するように、本明細書において提示される種々の概念はＬＴＥ適用例に非常に適している。しかしながら、これらの概念は、他の変調および多元接続技法を利用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して、移動局にブロードバンドインターネットアクセスを提供する。また、これらの概念は、広帯域ＣＤＭＡ（Ｗ−ＣＤＭＡ（登録商標））とＴＤ−ＳＣＤＭＡなどのＣＤＭＡの他の変形形態とを利用するユニバーサルテレストリアルラジオアクセス（ＵＴＲＡ）、ＴＤＭＡを利用するグローバルシステムフォーモバイル通信（ＧＳＭ（登録商標））、ならびに、ＯＦＤＭＡを利用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭにも拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。利用される実際のワイヤレス通信規格および多元接続技術は、特定の適用例と、システムに課される全体的な設計制約とによって決まることになる。
【００３９】
[0067]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用される場合がある。データストリームは、データレートを増大させるために単一のＵＥ２０６に送信されるか、または全体的なシステム容量を増大させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００４０】
[0068]空間多重化は、一般に、チャネル状態が良好であるときに使用される。チャネル状態があまり良好でないときは、送信エネルギーを１つまたは複数の方向に集中させるためにビームフォーミングが使用され得る。これは、複数のアンテナを通じた送信のために、データを空間的にプリコーディングすることによって達成され得る。セルのエッジにおいて良好なカバレージを実現するために、送信ダイバーシティと組み合わせてシングルストリームビームフォーミング送信が使用され得る。
【００４１】
[0069]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内でいくつかのサブキャリアを介してデータを変調するスペクトル拡散技法である。サブキャリアは正確な周波数で離間される。離間は、受信機がサブキャリアからデータを復元することを可能にする「直交性」を実現する。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＤＦＴ拡散ＯＦＤＭ信号の形でＳＣ−ＦＤＭＡを使用することができる。
【００４２】
[0070]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得る。リソースグリッドは、複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロック上で送信される。各リソース要素によって搬送されるビット数は変調方式に依存する。したがって、ＵＥが受信するリソースブロックが多いほど、および変調方式が高いほど、ＵＥのデータレートは高くなる。
【００４３】
[0071]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジに形成される場合があり、構成可能なサイズを有することができる。制御セクション内のリソースブロックは、制御情報を送信するためにＵＥに割り当てられ得る。データセクションは、制御セクション内に含まれないすべてのリソースブロックを含むことができる。ＵＬフレーム構造によって、結果として、データセクションが隣接するサブキャリアを含むようになり、それにより、単一のＵＥに、データセクション内の隣接するサブキャリアのすべてを割り当てることができるようになる。
【００４４】
[0072]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータまたはデータと制御情報の両方を送信し得る。ＵＬ送信は、サブフレームの両方のスロットに及ぶ場合があり、周波数にわたってホッピングすることができる。
【００４５】
[0073]初期システムアクセスを実施し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨのための周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００４６】
[0074]図５は、ＬＴＥにおけるユーザプレーンおよび制御プレーンのための無線プロトコルアーキテクチャの一例を示す図５００である。ＵＥおよびｅＮＢの無線プロトコルアーキテクチャは、レイヤ１、レイヤ２、およびレイヤ３という３つのレイヤで示される。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００４７】
[0075]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、図１のネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００４８】
[0076]ＰＤＣＰサブレイヤ５１４は、様々な無線ベアラと論理チャネルとの間で多重化を提供する。また、ＰＤＣＰサブレイヤ５１４は、無線送信オーバーヘッドを低減するための上位レイヤデータパケットのためのヘッダ圧縮と、データパケットを暗号化することによるセキュリティと、ＵＥのためのｅＮＢ間ハンドオーバサポートとを提供する。ＲＬＣサブレイヤ５１２は、上位レイヤデータパケットのセグメンテーションおよびリアセンブリと、紛失データパケットの再送と、ハイブリッド自動再送要求（ＨＡＲＱ）に起因して異なる順序で受信されたデータパケットを補償するための並べ替えとを提供する。ＭＡＣサブレイヤ５１０は、論理チャネルとトランスポートチャネルとの間の多重化を提供する。ＭＡＣサブレイヤ５１０はまた、１つのセルの中の様々な無線リソース（たとえば、リソースブロック）をＵＥの間で割り振ることを担当する。ＭＡＣサブレイヤ５１０はまた、ＨＡＲＱ演算を担当する。
【００４９】
[0077]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００５０】
[0078]図６は、アクセスネットワーク中でＵＥ６５０と通信しているｅＮＢ６１０のブロック図である。ＤＬにおいて、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００５１】
[0079]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを容易にするための、コーディングとインターリービングとを含む。次いで、コード化され変調されたシンボルは、並列ストリームに分割される。各ストリームは、次いで、ＯＦＤＭサブキャリアにマッピングされ、時間領域および／または周波数領域において基準信号（たとえば、パイロット）と多重化され、次いで、時間領域ＯＦＤＭシンボルストリームを搬送する物理チャネルを生成するために、逆高速フーリエ変換（ＩＦＦＴ）を用いて互いと合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用される場合がある。チャネル推定値は、ＵＥ６５０によって送信される参照信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００５２】
[0080]ＵＥ６５０において、各受信機６５４ＲＸは、それのそれぞれのアンテナ６５２を通じて信号を受信する。各受信機６５４ＲＸは、ＲＦキャリア上に変調された情報を復元し、情報を受信（ＲＸ）プロセッサ６５６に与える。ＲＸプロセッサ６５６は、Ｌ１レイヤの様々な信号処理機能を実装する。ＲＸプロセッサ６５６は、ＵＥ６５０に宛てられた空間ストリームを復元するために、情報に対して空間処理を実施し得る。複数の空間ストリームがＵＥ６５０に宛てられる場合には、それらの空間ストリームはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号の各サブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟決定は、チャネル推定器６５８によって計算されるチャネル推定値に基づき得る。軟決定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００５３】
[0081]コントローラ／プロセッサ６５９はＬ２レイヤを実装する。コントローラ／プロセッサ６５９は、プログラムコードとデータとを記憶するメモリ６６０に関連付けられ得る。メモリ６６０はコンピュータ可読媒体と呼ばれる場合がある。ＵＬにおいて、コントローラ／プロセッサ６５９は、コアネットワークからの上位レイヤパケットを復元するための、トランスポートチャネルと論理チャネルとの間の逆多重化と、パケットリアセンブリと、暗号解読と、ヘッダ解凍と、制御信号処理とを提供する。上位レイヤパケットは、次いで、Ｌ２レイヤの上のすべてのプロトコルレイヤを表す、データシンク６６２に与えられる。また、様々な制御信号が、Ｌ３処理のためにデータシンク６６２に与えられ得る。コントローラ／プロセッサ６５９はまた、ＨＡＲＱ演算をサポートするために肯定応答（ＡＣＫ）および／または否定応答（ＮＡＣＫ）プロトコルを使用する誤り検出を担当する。
【００５４】
[0082]ＵＬにおいて、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関連して説明された機能性と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを提供することによって、ユーザプレーンおよび制御プレーンのためのＬ２レイヤを実装する。コントローラ／プロセッサ６５９はまた、ＨＡＲＱ演算と、紛失パケットの再送信と、ｅＮＢ６１０へのシグナリングとを担当する。
【００５５】
[0083]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００５６】
[0084]ＵＬ送信は、ＵＥ６５０における受信機機能に関して説明した方法と同様の方法でｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０に情報を与える。ＲＸプロセッサ６７０は、Ｌ１レイヤを実装し得る。
【００５７】
[0085]コントローラ／プロセッサ６７５は、Ｌ２レイヤを実装する。コントローラ／プロセッサ６７５は、プログラムコードとデータとを記憶するメモリ６７６に関連付けられ得る。メモリ６７６はコンピュータ可読媒体と呼ばれる場合がある。ＵＬにおいて、コントローラ／プロセッサ６７５は、ＵＥ６５０からの上位レイヤパケットを復元するために、トランスポートチャネルと論理チャネルとの間の逆多重化と、パケットリアセンブリと、暗号解読と、ヘッダ解凍と、制御信号処理とを提供する。コントローラ／プロセッサ６７５からの上位レイヤパケットは、コアネットワークに提供され得る。コントローラ／プロセッサ６７５はまた、ＨＡＲＱ演算をサポートするためにＡＣＫおよび／またはＮＡＣＫプロトコルを使用する誤り検出を担当する。
【００５８】
[0086]図７Ａは、ＭＢＳＦＮにおける発展型ＭＢＭＳ（ｅＭＢＭＳ）チャネル構成の一例を示す図７５０である。セル７５２’中のｅＮＢ７５２は、第１のＭＢＳＦＮエリアを形成することができ、セル７５４’中のｅＮＢ７５４は、第２のＭＢＳＦＮエリアを形成することができる。ｅＮＢ７５２、７５４は各々、他のＭＢＳＦＮエリア、たとえば、最高で合計８つのＭＢＳＦＮエリアに関連付けられ得る。ＭＢＳＦＮエリア内のセルが、予約済みセルに指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で制限電力を有し得る。ＭＢＳＦＮエリア中の各ｅＮＢは、同じｅＭＢＭＳ制御情報とデータとを同期的に送信する。各エリアは、ブロードキャストサービスと、マルチキャストサービスと、ユニキャストサービスとをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７Ａを参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、１つまたは複数の物理マルチキャストチャネル（ＰＭＣＨ）（たとえば、１５個のＰＭＣＨ）をサポートする。各ＰＭＣＨは、マルチキャストチャネル（ＭＣＨ）に対応する。各ＭＣＨは、複数（たとえば、２９個）のマルチキャスト論理チャネルを多重化することができる。各ＭＢＳＦＮエリアは１つのマルチキャスト制御チャネル（ＭＣＣＨ）を有し得る。したがって、１つのＭＣＨは、１つのＭＣＣＨと複数のマルチキャストトラフィックチャネル（ＭＴＣＨ）とを多重化することができ、残りのＭＣＨは複数のＭＴＣＨを多重化することができる。
【００５９】
[0087]ＵＥは、ｅＭＢＭＳサービスアクセスおよび対応するアクセス層構成の利用可能性を発見するために、ＬＴＥセルにキャンプオンすることができる。最初に、ＵＥは、システム情報ブロック（ＳＩＢ）１３（ＳＩＢ１３）を取得し得る。その後、ＳＩＢ１３に基づいて、ＵＥは、ＭＣＣＨ上でＭＢＳＦＮエリア構成メッセージを取得し得る。その後、ＭＢＳＦＮエリア構成メッセージに基づいて、ＵＥは、ＭＣＨスケジューリング情報（ＭＳＩ）のＭＡＣ制御要素を取得し得る。ＳＩＢ１３は、（１）セルによってサポートされる各ＭＢＳＦＮエリアのＭＢＳＦＮエリア識別子と、（２）ＭＣＣＨ繰り返し期間（たとえば、３２個、６４個、．．．、２５６個のフレーム）、ＭＣＣＨオフセット（たとえば、０、１、．．．、１０個のフレーム）、ＭＣＣＨ修正期間（たとえば、５１２個、１０２４個のフレーム）、シグナリング変調およびコーディング方式（ＭＣＳ）、繰り返し期間とオフセットとによって示される無線フレームのどのサブフレームがＭＣＣＨを送信することができるかを示すサブフレーム割振り情報など、ＭＣＣＨを取得するための情報と、（３）ＭＣＣＨ変更通知構成とを含み得る。ＭＢＳＦＮエリアごとに１つのＭＢＳＦＮエリア構成メッセージが存在する。ＭＢＳＦＮエリア構成メッセージは、（１）ＰＭＣＨ内の論理チャネル識別子によって識別される各ＭＴＣＨの一時的モバイルグループ識別情報（ＴＭＧＩ）および随意のセッション識別子と、（２）ＭＢＳＦＮエリアの各ＰＭＣＨを送信するための割り振られたリソース（すなわち、無線フレームおよびサブフレーム）およびそのエリア中のすべてのＰＭＣＨのための割り振られたリソースの割振り期間（たとえば、４つ、８つ、．．．、２５６個のフレーム）と、（３）ＭＳＩ  ＭＡＣ制御要素が送信されるＭＣＨスケジューリング期間（ＭＳＰ）（たとえば、８つ、１６個、３２個、．．．、または１０２４個の無線フレーム）とを示し得る。
【００６０】
[0088]図７Ｂは、ＭＳＩのＭＡＣ制御要素のフォーマットを示す図７９０である。ＭＳＩ  ＭＡＣ制御要素は、ＭＳＰごとに１回送られ得る。ＭＳＩ  ＭＡＣ制御要素は、ＰＭＣＨの各スケジューリング期間の最初のサブフレーム中で送られ得る。ＭＳＩ  ＭＡＣ制御要素は、ＰＭＣＨ内の各ＭＴＣＨの停止フレームおよびサブフレームを示すことができる。ＭＢＳＦＮエリアごとにＰＭＣＨ当たり１つのＭＳＩが存在し得る。
【００６１】
[0089]ＭＢＳＦＮエリア中のｅＮＢは、特にｅＭＢＭＳにおいて、強化信号を与えるように、ＭＢＳＦＮエリア中のｅＮＢからの信号が合成されたとき、信号送信を強化するように同期され得る。ただし、ＭＢＳＦＮエリアを形成するようにｅＮＢを同期させるのは困難な場合がある。単一サイトＭＢＳＦＮなどの小規模ＭＢＳＦＮが、大規模ＭＢＳＦＮとユニキャストネットワークとの間にある手法として使用され得る。たとえば、小規模ＭＢＳＦＮ中のセルの数は、周囲のユニキャストネットワーク中のセルの数よりも小さくてよく、単一サイトＭＢＳＦＮは、ＭＢＳＦＮ用の単一セルを有し得る。小規模ＭＢＳＦＮは、グループ中のＵＥすべてがＭＢＳＦＮエリア内に位置する場合、グループ呼用に使われ得る。グループ呼とは、ｅＮＢから、グループ中のＵＥへの通信である。そのようなケースにおいて、小規模ＭＢＳＦＮまたは単一サイトＭＢＳＦＮは、周囲のセルが信号を送信中でないときを除いて、信号送信において効果的でない場合がある。
【００６２】
[0090]図８Ａは、単一ＭＢＳＦＮセルをもつ単一サイトＭＢＳＦＮを有する例示的ネットワーク８００を示す。図８Ａにおいて、ＭＢＳＦＮセル８０２が、ユニキャストエリアを形成する非ＭＢＳＦＮセル（たとえば、ユニキャストセル）８０４によって囲まれる小規模ＭＢＳＦＮエリアを形成する。ＭＢＳＦＮ  ｅＮＢ８１２は、ＭＢＳＦＮセル８０２に割り当てられる。非ＭＢＳＦＮ  ｅＮＢ８１４の各々が、対応する非ＭＢＳＦＮセル８０４に割り当てられる。ある態様では、ＭＢＳＦＮは、２つ以上のセル（たとえば、３つのＭＢＳＦＮセル）を含んでよく、ここで、小規模ＭＢＳＦＮ中のＭＢＳＦＮセルの数は、周囲のユニキャストセルの数未満である。図８Ｂは、複数のＭＢＳＦＮセルをもつ小規模ＭＢＳＦＮを有する例示的ネットワーク８５０を示す。図８Ｂにおいて、ＭＢＳＦＮセル８５２が、ユニキャストエリアを形成する非ＭＢＳＦＮセル（たとえば、ユニキャストセル）８５４によって囲まれる小規模ＭＢＳＦＮエリアを形成する。ＭＢＳＦＮ  ｅＮＢ８６２の各々が、対応するＭＢＳＦＮセル８５２に割り当てられる。非ＭＢＳＦＮ  ｅＮＢ８６４の各々が、対応する非ＭＢＳＦＮセル８５４に割り当てられる。図８Ｂに示す例において、ＭＢＳＦＮセル８５２の数は３であり、非ＭＢＳＦＮセル（たとえば、ユニキャストセル）８５４の数は９である。したがって、ＭＢＳＦＮセル８５２の数は、非ＭＢＳＦＮセル８５４の数未満である。
【００６３】
[0091]本開示の第１の手法によると、小規模ＭＢＳＦＮ用の縮小ｅＭＢＭＳカバレージは、小規模ＭＢＳＦＮ中でのサービスを改善するのに使われる。特に、小規模ＭＢＳＦＮ用のｅＭＢＭＳカバレージは、小規模ＭＢＳＦＮのサブ領域まで縮小されてよく、ここで、サブ領域は、ＭＢＳＦＮによってカバーされるエリアよりも小さい。ＵＥは、サブ領域内ではｅＭＢＭＳによりサービスを受信し、サブ領域の外ではユニキャストによりサービスを受信する。図９は、縮小ｅＭＢＭＳカバレージをもつ小規模ＭＢＳＦＮを有する例示的ネットワーク９００である。たとえば、小規模ＭＢＳＦＮは、ＭＣＳ閾値に基づいてサービスがサポートされ得るエリアとして定義され得る。図９において、ＭＢＳＦＮセル９０２が、ユニキャストエリアを形成する非ＭＢＳＦＮセル（たとえば、ユニキャストセル）９０４（９０４ａ〜９０４ｆ）によって囲まれる小規模ＭＢＳＦＮエリアを形成する。ｅＮＢ９１２はＭＢＳＦＮセル９０２に割り当てられ、ここで、ｅＮＢ９１２はＭＢＳＦＮ  ｅＮＢであってよい。ｅＮＢ９１４ａ〜９１４ｆは、それぞれ非ＭＢＳＦＮセル９０４ａ〜９０４ｆに割り当てられ、ここで、ｅＮＢ９１４ａ〜９１４ｆは非ＭＢＳＦＮ  ｅＮＢであってよい。図９において、小規模ＭＢＳＦＮエリアは、ＭＢＳＦＮセル９０２のサブ領域９３２中で縮小ｅＭＢＭＳカバレージを提供することができる。したがって、サブ領域９３２は、ＭＢＳＦＮセル９０２によってカバーされるＭＢＳＦＮエリアよりも小さいＭＢＳＦＮカバレージエリアである。ＵＥ（たとえば、ＵＥ９５２）がサブ領域９３２内にある場合、サブ領域９３２内のＵＥは、ブロードキャストを介してサービスを受信する。ＵＥ（たとえば、ＵＥ９５４）がサブ領域９３２の外にある場合、サブ領域９３２の外のＵＥは、ユニキャストを介してサービスを受信する。図９に示される例では、サブ領域９３２は、半径Ｒをもつ円形状である。サブ領域の形状は円に限定されず、どの形状であってもよいことに留意されたい。さらに、小規模ＭＢＳＦＮは、２つ以上のＭＢＳＦＮセルを含んでよいことに留意されたい。
【００６４】
[0092]縮小ｅＭＢＭＳカバレージをもつ小規模ＭＢＳＦＮを伴う少なくとも２つのサービス継続性シナリオが存在し得る。ブロードキャスト（ＢＣ）−ユニキャスト（ＵＣ）シナリオと呼ばれる第１のシナリオにおいて、ＵＥは、ブロードキャストカバレージエリア（たとえば、ｅＭＢＭＳカバレージエリア）から出て、したがって、ＢＣを介した（たとえば、ｅＭＢＭＳ経由の）受信から、ＵＣを介した受信に切り替えることができる。一例では、ＵＥが、ＭＢＳＦＮからサービスを受信することができない（たとえば、少なくとも部分的には、ＭＢＳＦＮ中の多くのセルが同期され得ないことによる）場合、ＵＥは、ユニキャストを介してサービスを受信するために、ＢＣからＵＣに切り替えてよい。ＵＣ−ＢＣシナリオと呼ばれる第２のシナリオにおいて、ＵＥは、ユニキャストカバレージエリアからブロードキャストカバレージエリア（たとえば、ｅＭＢＭＳカバレージエリア）の中に入り、したがって、ＵＣを介した受信からＢＣを介した受信（たとえば、ｅＭＢＭＳ経由）に切り替えることができる。
【００６５】
[0093]ＵＥが、ＭＢＳＦＮカバレージエリアから非ＭＢＳＦＮカバレージエリアに移動すると、サービス（たとえば、グループ呼）は、サービス継続性を確実にするために（たとえば、中断なしでサービスを受信するために）、ＢＣからＵＣに切り替えられてよい。たとえば、図９の例を参照すると、ＵＥが、サブ領域９３２から、サブ領域９３２の外のエリアに移動すると、ＵＥは、サービス（たとえば、グループ呼）を継続的に受信するために、ＢＣを介した受信（たとえば、ｅＭＢＭＳ経由）からＵＣを介した受信に切り替える。ＢＣからＵＣへの切替えは、ＢＣサービスに関連付けられた信号特性、ＵＣサービスに関連付けられた信号特性、タイミングアドバンス、ＵＥのロケーション、パスロス、ＭＢＳＦＮエリアのサブ領域のパラメータ、およびジオメトリなど、１つまたは複数のパラメータに基づき得る。たとえば、ＢＣサービスに関連付けられた信号特性が、より低いＢＣ信号強度を示し、および／またはＵＣサービスに関連付けられた信号特性が、より高いＵＣ信号強度を示す場合、ＵＥは、ＢＣからＵＣに切り替えてよい。
【００６６】
[0094]特に、信号特性（ＢＣまたはＵＣ）は、サービング基地局および近隣基地局に関連付けられ得る。たとえば、ｅＮＢ９１２は、ＵＥ９５２および９５４の各々から信号特性を受信することができる。ｅＮＢ９１２は、ｅＮＢ９１２、９１４ｂ、および９１４ｃからのユニキャストおよび／またはマルチキャスト／ブロードキャスト送信に基づいてＵＥ９５２から、ならびにｅＮＢ９１２、９１４ｅ、および９１４ｆからのユニキャストおよび／またはマルチキャスト／ブロードキャスト送信に基づいてＵＥ９５４から、信号特性を受信することができる。したがって、たとえば、ｅＮＢ９１２は、ＵＥの近傍内の１つまたは複数のｅＮＢからのユニキャストおよび／またはマルチキャスト／ブロードキャスト送信に基づいて、ＵＥから信号特性を受信することができる。ＢＣサービスに関連付けられた信号特性は、ブロードキャスト基準信号受信電力（ＲＳＲＰ）、ブロードキャスト基準信号受信品質（ＲＳＲＱ）、および／または信号対干渉プラス雑音比（ＳＩＮＲ）を含み得る。ＵＣサービスに関連付けられた信号特性は、ユニキャストＲＳＲＰ、ユニキャストＲＳＲＱ、および／またはチャネル品質インジケータ（ＣＱＩ）を含み得る。ジオメトリは、他の干渉／パスロスに関して、ＭＢＳＦＮセル（たとえば、ＭＢＳＦＮセル８０２）からの受信信号電力を示す情報を含み得る。したがって、高いジオメトリ値をもつＵＥは、低い干渉／パスロスをもつ高い信号電力を有し得る。
【００６７】
[0095]第１のシナリオにおいて、ＢＣからＵＣへの切替えは、以下で説明される３つのオプションのうちの少なくとも１つに基づいて実施され得る。第１のシナリオの第１のオプションによると、ＵＥは、上記パラメータ（たとえば、ＢＣサービスに関連付けられた信号特性、ＵＣサービスに関連付けられた信号特性、タイミングアドバンス、ＵＥのロケーション、パスロス、ＭＢＳＦＮエリアのサブ領域のパラメータ、およびジオメトリなどのパラメータ）に基づいて、ＢＣからＵＣに切り替えると決定してよい。ＵＥは、パラメータおよびパラメータに関連付けられた閾値に基づいて、ＢＣからＵＣに切り替え得る。たとえば、ブロードキャストＲＳＲＰが一定の閾値未満であるとＵＥが決定した場合、ＵＥはＢＣからＵＣに切り替えてよい。第２のシナリオの第１のオプションによると、ＵＥが、閾値および上記パラメータに基づいて、ＢＣからＵＣに切り替えると決定することができるように、ネットワーク（たとえば、ｅＮＢ）が、上記パラメータに対応する閾値をＵＥに与え得る。たとえば、ｅＮＢは、ブロードキャストＲＳＲＰについての閾値をＵＥに与えることができ、ブロードキャストＲＳＲＰが、ネットワークによって与えられた閾値未満であるとＵＥが決定した場合、ＵＥはＢＣからＵＣに切り替えてよい。したがって、第１のシナリオの第２のオプションによると、ネットワークは、閾値を与えることによって、ＢＣからＵＣに切り替えるかどうかをＵＥが決定するのを支援する。第１のシナリオの第３のオプションによると、ネットワーク（たとえば、ｅＮＢ）は、上記パラメータに基づいてＵＥにハンドオーバコマンドを送ることができ、ここで、ハンドオーバコマンドは、ＵＥをＢＣからＵＣに切り替えさせる。たとえば、ｅＮＢ９１２が、ＵＥ９５４向けのブロードキャストＲＳＲＰが一定の閾値未満であると決定した場合、ｅＮＢ９１２は、ＵＥ９５４をＢＣからＵＣに切り替えさせるために、ＵＥ９５４にハンドオーバコマンドを送ってよい。
【００６８】
[0096]第２のシナリオにおいて、ＵＥが、非ＭＢＳＦＮカバレージエリアからＭＢＳＦＮカバレージエリアに移動すると、ＵＥは、サービス継続性（たとえば、中断なしでのサービスの受信）を確実にするために、ＵＣを介したサービス（たとえば、グループ呼）の受信から、ＢＣを介したサービスの受信に切り替えると決定してよい。たとえば、ＵＥは、ＵＥによって取得されたＳＩＢ１３を調べたことに基づいて、ブロードキャストを介してサービスを受信するために、ｅＭＢＭＳカバレージに入ると決定し得る。ＵＣからＢＣへの切替えは、ＢＣサービスに関連付けられた信号特性、ＵＣサービスに関連付けられた信号特性、タイミングアドバンス、ＵＥのロケーション、パスロス、ＭＢＳＦＮエリアのサブ領域のパラメータ、およびジオメトリなど、１つまたは複数のパラメータに基づき得る。第２のシナリオにおいて、ＵＣからＢＣへの切替えは、以下で説明される３つのオプションのうちの少なくとも１つに従って実施され得る。
【００６９】
[0097]第２のシナリオの第１のオプションによると、ＵＣを介してサービスを受信中であるＵＥは、１つまたは複数のＭＢＳＦＮパラメータを定期的に測定し続け、ＭＢＳＦＮブロードキャストが利用可能であるとＵＥが決定すると、ＢＣを介したサービスの受信に切り替え得る。したがって、ＵＥがＵＣベアラを使っているときであっても、ＵＥは、１つまたは複数のＭＢＳＦＮパラメータを定期的に測定し続ける。たとえば、ＵＥ９５４が、ｅＮＢ９１４ｃ経由でＵＣを介してサービスを受信する間、ＵＥ９５４は、ｅＮＢ９１２からのＭＢＳＦＮ信号強度を測定し続け、ｅＮＢ９１２からのＭＢＳＦＮ信号強度が強い（たとえば、一定の閾値よりも大きい）場合、ＢＣを介したサービスの受信に切り替え得る。第２のシナリオの第２のオプションによると、ｅＮＢが、上記パラメータに対応する閾値をＵＥに与え、ＵＥは、閾値および上記パラメータに基づいて、ＵＣからＢＣに切り替えると決定する。ブロードキャスト信号が、ｅＮＢによって与えられた閾値に基づく条件を満足しないとＵＥが決定した場合、ＵＥは、ＵＣを介したサービスの受信から、ＢＣを介したサービスの受信に切り替えると決定してよい。たとえば、ｅＮＢは、ユニキャストＲＳＲＰについての閾値をＵＥに与えることができ、ユニキャストＲＳＲＰが、ｅＮＢによって与えられた閾値未満であるとＵＥが決定した場合、ＵＥはＵＣからＢＣに切り替えてよい。第２のシナリオの第３のオプションによると、ｅＮＢが、ＵＥのユニキャスト測定および随意にはＭＢＳＦＮ（ブロードキャスト）測定に基づいて、ＵＣからＢＣにリダイレクトするためのコマンドをＵＥに送る。たとえば、ユニキャスト測定およびＭＢＳＦＮ測定は、それぞれ、ユニキャスト信号強度およびＭＢＳＦＮ信号強度の測定であり得る。ユニキャスト測定およびＭＢＳＦＮ測定は、ＵＥによって実施され、ｅＮＢに送られる。したがって、ＵＥのユニキャスト測定および／またはＭＢＳＦＮ測定に従って、ｅＮＢは、ブロードキャスト信号がユニキャスト信号よりも強いと決定し、したがって、ＵＣからＢＣに切り替えるためのコマンドをＵＥに送ると決定してよい。たとえば、ＵＥが最初に、ｅＮＢ９１４ｃ経由でユニキャストを介してサービスを受信し、ｅＮＢ９１４ｃが、ＵＥ９５４向けのユニキャストＲＳＲＰが一定の閾値未満であると決定した場合、ｅＮＢ９１４ｃは、ＵＥ９５４をＵＣからＢＣに切り替えさせるためのコマンドをＵＥ９５４に送ってよい。
【００７０】
[0098]第２の手法によると、ｅＮＢが最初にＵＥに信号を送信した後、ｅＮＢは、ｅＭＢＭＳの全体的信号品質を向上させるために、信号を再送信してよい。ｅＮＢが最初にブロードキャスト信号（たとえば、ｅＭＢＭＳ信号）を送信した後、ｅＮＢは、信号のブロードキャスト再送信のインジケータをＵＥに送ってよい。ブロードキャスト再送信インジケータは、ＵＥに送られるべき信号が信号の再送信であることを、ＵＥに対して示す。したがって、再送信インジケータは、信号の初回送信と再送信とを区別し得る。ブロードキャスト再送信インジケータは、ＭＣＣＨもしくはＭＳＩまたは専用シグナリングにより送られ得る。ブロードキャスト再送信インジケータを送信した後、ｅＮＢは、ブロードキャスト信号をＵＥに再送信する。ｅＮＢは、最初に送信されたｅＭＢＭＳ信号のＭＳＰと同じＭＳＰ中に、または異なるＭＳＰ中に、ブロードキャスト信号を再送信してよい。ＵＥは、信号品質を向上させるために、ブロードキャスト信号を生成するように、複数の送信（たとえば、ブロードキャスト再送信と初回送信）を合成する。ｅＮＢは、拡張ＣＰ（たとえば、１６．６μｓ）ではなく、ノーマルＣＰ（たとえば、５μｓ）を使えばよい。ｅＮＢは、信号を一度よりも多く再送信してよいことに留意されたい。したがって、ＵＥは、ブロードキャスト信号を生成するために、信号の複数の再送信を、信号の初回送信と合成することができる。そのようなケースにおいて、信号の複数の再送信の各々の前に、ｅＮＢは、信号の複数の再送信の各々に対応するブロードキャスト再送信インジケータをＵＥに送ればよい。
【００７１】
[0099]第２の手法の第１のソリューションによると、ｅＮＢは、ＭＢＳＦＮエリアの信号品質に基づいて固定再送信を実施する。ＭＢＳＦＮエリアの信号品質は、ネットワークにとって既知であり得る。特に、ＭＢＳＦＮエリアの信号品質（たとえば、ＳＮＲ）およびＭＣＳに基づいて、ＭＣＥが、ｅＮＢに、信号のパケットの送信（再送信）を１回または複数回繰り返すよう知らせる。たとえば、ＳＮＲが低い（たとえば、一定の閾値を下回る）場合、ＭＣＥは、信号を１回または複数回再送信するよう、ｅＮＢを促してよい。ＵＥは、信号の再送信を受信し、信号を復号するために、信号の再送信を信号の初回送信と合成する。ｅＮＢは、初回送信の後、信号の複数の再送信を実施してよい。そのようなケースにおいて、ｅＮＢは、信号の複数の再送信の各々の前に、信号の複数の再送信の各々に対応するブロードキャスト再送信インジケータをＵＥに送る。信号の複数の再送信を受信した後、ＵＥは、信号の初回送信と信号の複数の再送信とを合成すればよい。ｅＮＢが信号の複数の再送信を実施する場合、ｅＮＢは、信号の複数の再送信をバンドルし、複数の再送信のバンドルをＵＥに送信すればよい。
【００７２】
[00100]図１０Ａは、第２の手法の第１のソリューションを示す例示的図１０００である。例示的図１０００は、ＵＥ１００２と、ｅＮＢ１００４と、ＭＣＥ１００６とを含む。ｅＮＢ１００４は、１０１２において、信号の初回送信をＵＥ１００２に送る。ＭＣＥ１００６が１０１４において、ｅＮＢ１００４に関連付けられたＭＢＳＦＮエリアのＳＮＲが低いと決定すると、ＭＣＥは、１０１６において、信号の再送信をＵＥ１００２に送るよう、ｅＮＢ１００４を促す。その後、ｅＮＢ１００４は、１０１８において、再送信インジケータをＵＥ１００２に送り、次いで、１０２０において、信号の再送信をＵＥ１００２に送る。ＵＥ１００２は、１０２２において、信号を復号するために、信号の初回送信と信号の再送信とを合成する。
【００７３】
[00101]第２の手法の第２のソリューションは、ＵＥからのフィードバックに基づく適応的再送信を使用する。ＵＥからのフィードバックに基づいて、いくつかのＵＥがｅＮＢからのブロードキャスト信号の初回送信の受信に成功しなかったとＭＣＥが決定した場合、ＭＣＥまたはｅＮＢは、信号の再送信を実施すると決定してよい。ＵＥからのフィードバックは、グループＮＡＣＫ手法に基づき得る。グループＮＡＣＫ手法によると、ｅＮＢからの初回送信信号のパケットが復号され得ないとＵＥが決定した場合、ＵＥは、共通リソースによりＮＡＣＫを送る。共通リソースは、同じグループ中のＵＥが共通リソースによりｅＮＢにＮＡＣＫを送ることができるように、同じグループ内のＵＥの間で共有される。ｅＮＢは、共通ソースにより受信されたＮＡＣＫの信号強度の電力に基づいて、いくつのＵＥが送信を受信しなかったか決定することができる。ＵＥのグループからのＮＡＣＫの信号強度の電力に基づいて、ｅＮＢはＵＥのグループ用に構成されてよい。ｅＮＢはまた、ＵＥのグループからのＡＣＫの信号強度の電力に基づいて、ＵＥのグループ用に構成されてよい。
【００７４】
[00102]第２の手法の第２のソリューションの第１のオプションによると、信号の再送信は、ＭＢＳＦＮ測定に基づいて実施される。共通ＮＡＣＫリソースが、同じグループ中のＵＥに割り当てられ、同じグループ中のＵＥによって共有される。ｅＮＢが、共通ＮＡＣＫリソースについての情報を、ｅＮＢによってサービスされる（たとえば、そこにキャンプオンされる）同じグループ中のＵＥの各々に送ることができる。一例では、同じグループ中のＵＥは、複数のｅＮＢによってサービスされ得る。共通ＮＡＣＫリソースについての情報は、ＳＩＢ１３またはＭＣＣＨまたは専用シグナリングにより、ＵＥに送られ得る。ＵＥが、初回送信の信号のパケットを復号するのに失敗すると、ＵＥは、共通ＮＡＣＫリソースにより、ｅＮＢにＮＡＣＫを送る。ＭＢＳＦＮの各ｅＮＢは、ＮＡＣＫの受信エネルギーメトリックをＭＣＥに報告する。ＮＡＣＫのエネルギーメトリックに基づいて、ＭＣＥは、信号のパケットをＵＥに再送信するよう、ｅＮＢを促すかどうかを決定する。たとえば、ＭＣＥは、同じグループ中のいくつのＵＥがｅＮＢからの初回送信を受信しなかったかを、ＮＡＣＫのエネルギーメトリックに基づいて推定することができ、推定に基づいて、再送信を実施するよう、ｅＮＢを促すかどうかを決定することができる。ある態様では、ＭＣＥは、ＲＳＳＩ報告などの信号報告に基づいて、パケットを再送信するよう、１つまたは複数のｅＮＢを促すと決定してよい。たとえば、ＭＣＥは、ＲＳＳＩ報告におけるＲＳＳＩが一定の閾値未満である場合、パケットを再送信するよう、１つまたは複数のｅＮＢを促すと決定してよい。ＭＣＥは、ＭＢＳＦＮ中のセルのすべてにおいて、またはＭＢＳＦＮ中のセルのサブセットにおいて、再送信を促すと決定してよい。ｅＮＢは、ＵＥに送られる信号が再送信であることを知らせるために、再送信インジケータをＵＥに送ってよい。再送信の指示は、新規データインジケータ（ＮＤＩ）であってよい。再送信インジケータをＵＥに送った後、ｅＮＢは、信号の再送信をＵＥに送る。ｅＮＢは、次のＭＳＰにおいて、ＵＥへの信号の再送信を実施してよい。ＵＥが、再送信された信号を受信すると、ＵＥは、再送信された信号を、最初に送信された信号と合成する。
【００７５】
[00103]図１０Ｂは、第２の手法の第２のソリューションの第１のオプションを示す例示的図１０３０である。例示的図１０３０は、同じグループ中のＵＥ１０３２ａ〜１０３２ｃと、ｅＮＢ１０３４と、ＭＣＥ１０３６とを含む。ｅＮＢ１０３４は、１０４２において、共通ＮＡＣＫリソースについての情報をＵＥ１０３２ａに送る。ｅＮＢ１０３４は、共通ＮＡＣＫリソースについての情報を、ＵＥ１０３２ｂおよび１０３２ｃに送ることができる。ｅＮＢ１０３４は、１０４４において、信号の初回送信をＵＥ１０３２ａに送る。共通ＮＡＣＫリソースは、同じグループ中のＵＥ１０３２ａ〜１０３２ｃによって共有される。ＵＥ１０３２ａが信号を首尾よく復号するのに失敗したと１０４６においてＵＥ１０３２ａが決定すると、ＵＥ１０３２ａは、１０４８において、共通ＮＡＣＫリソースによりｅＮＢ１０３４にＮＡＣＫを送る。ＵＥ１０３２ｂおよび１０３２ｃは、首尾よく信号を復号するのに失敗したとき、共通ＮＡＣＫリソースによりｅＮＢ１０３４にＮＡＣＫを送る場合もある。ｅＮＢ１０３４は、１０５０において、受信されたＮＡＣＫのエネルギーメトリックをＭＣＥ１０３６に報告する。ＭＣＥ１０３６が、１０５２において、エネルギーメトリックに基づいて、信号を再送信すると決定すると、ＭＣＥ１０３６は、１０５４において、信号の再送信をＵＥ１０３２ａに送るよう、ｅＮＢ１０３４を促す。その後、ｅＮＢ１０３４は、１０５６において、ＵＥ１０３２ａに再送信インジケータを送り、次いで、１０５８において、ＵＥ１０３２ａに信号の再送信を送る。ＵＥ１０３２ａは、１０６０において、信号を復号するために、信号の初回送信と信号の再送信とを合成する。
【００７６】
[00104]第２の手法の第２のソリューションの第２のオプションによると、信号の再送信は、セルに基づいて実施される。共通ＮＡＣＫリソースは、セルごとに、またはセルごと、グループごとに構成される。各セル用に複数の共通ＮＡＣＫリソースが構成されるとき、共通ＮＡＣＫリソースは、セルごと、グループごとに構成されることに留意されたい。共通ＮＡＣＫリソースは、ｅＮＢによってサービスされる（たとえば、そこにキャンプオンされる）、同じグループ中のＵＥに割り当てられ、同じグループ中のＵＥによって共有される。一例では、同じグループ中のＵＥは、複数のｅＮＢによってサービスされ得る。ｅＮＢが、構成された共通ＮＡＣＫリソースと、グループ無線ネットワーク一時識別子（Ｇ−ＲＮＴＩ）とをＵＥに送る。共通ＮＡＣＫリソースおよびＧ−ＲＮＴＩは、ＳＩＢ１３によりＵＥに送られ得る。各ＴＭＧＩには、Ｇ−ＲＮＴＩとＮＡＣＫリソースの複数のペアがセル中で割り当てられ得る。ＵＥが、初回送信の信号のパケットを復号するのに失敗すると、ＵＥは、構成された共通ＮＡＣＫリソースにより、ｅＮＢにＮＡＣＫを送る。ｅＮＢは、ＮＡＣＫの受信エネルギーメトリックに基づいて、ＵＥに信号を再送信するかどうかを決定する。たとえば、ｅＮＢは、ＮＡＣＫの受信エネルギーメトリックが一定の閾値未満である場合、ＵＥに信号を再送信するかどうかを決定することができる。ｅＮＢが、信号を再送信すると決定した場合、ｅＮＢは、ＵＥに再送信インジケータを送る。その後、ｅＮＢは、信号の再送信のために、Ｇ−ＲＮＴＩによってアドレス指定された送信をスケジュールし、次いで、Ｇ−ＲＮＴＩについてのスケジューリングに基づいて、ＵＥへの信号の再送信を実施する。ＵＥが、再送信された信号を受信すると、ＵＥは、再送信された信号を、最初に送信された信号と合成する。
【００７７】
[00105]図１０Ｃは、第２の手法の第２のソリューションの第２のオプションを示す例示的図１０７０である。例示的図１０７０は、同じグループ中のＵＥ１０７２ａ〜１０７２ｃと、ｅＮＢとを含む。ｅＮＢ１０７４は、１０８２において、共通ＮＡＣＫリソースについての情報と、Ｇ−ＲＮＴＩとをＵＥ１０７２ａに送る。ｅＮＢ１０７４は、共通ＮＡＣＫリソースについての情報を、ＵＥ１０７２ｂおよび１０７２ｃに送ることができる。ｅＮＢ１０７４は、１０８４において、信号の初回送信をＵＥ１０７２ａに送る。ＵＥ１０７２が１０８６において、信号の復号に成功しなかったと決定すると、ＵＥ１０７２ａは、１０８８において、共通ＮＡＣＫリソースによりｅＮＢ１０７４にＮＡＣＫを送る。ｅＮＢ１０７４が、１０９０において、ＮＡＣＫのエネルギーメトリックに基づいて、信号を再送信すると決定すると、ｅＮＢ１０７４は、１０９２において、ＵＥ１０７２ａに再送信インジケータを送り、次いで、１０９４において、ＵＥ１０７２ａに信号の再送信を送る。ＵＥ１０７２ａは、１０９６において、信号を復号するために、信号の初回送信と再送信とを合成する。
【００７８】
[00106]第３の手法によると、ＵＥは、同期されていない複数のセルからＭＢＭＳ信号を受信し、セルが同期されていない場合であっても受信信号を合成する。同期の程度に依存して、２つの異なるシナリオが異なる扱いを受ける場合がある。図１１は、複数のＭＢＳＦＮセルをもつ例示的ネットワーク１１００である。ＭＢＳＦＮ  ｅＮＢ１１１２ａ〜１１１２ｃは、それぞれ、ＭＢＳＦＮセル１１０２ａ〜１１０２ｃに割り当てられる。非ＭＢＳＦＮ  ｅＮＢ１１１４の各々が、対応する非ＭＢＳＦＮセル１１０４に割り当てられる。ＭＢＳＦＮセル１１０２中のＵＥ１１５２に対して、サービングセルはＭＢＳＦＮセル１１０２ａであり、ネイバーセルはＭＢＳＦＮセル１１１２ｂおよび１１１２ｃである。ＵＥ１１５２は、サービングセルおよびネイバーセルから信号を受信する。ネイバーセルは、サービングセルに隣接し得る。第１のシナリオにおいて、サービングセルからの信号とネイバーセルからの信号は、緩く同期される。第２のシナリオにおいて、サービングセルからの信号とネイバーセルからの信号は非同期である。一例では、ＵＥが、サービングセル信号とネイバーセル信号の同期の程度が閾値以上であると決定した場合、ＵＥは、サービングセルとネイバーセルが少なくとも緩く同期されていると決定してよい。反対に、ＵＥが、サービングセル信号とネイバーセル信号の同期の程度が閾値未満であると決定した場合、ＵＥは、サービングセルとネイバーセルが非同期であると決定してよい。キャリアアグリゲーション（ＣＡ）が可能なＵＥに対して、ＵＥは、他のセルをリッスンするために別の無線チェーンを使ってよいことに留意されたい。
【００７９】
[00107]サービングセルとネイバーセルが緩く同期される第１のシナリオにおいて、ＵＥは、サービングセルＭＢＭＳ信号とネイバーセルＭＢＭＳ信号との間のタイミング差についてバッファリングする。ＵＥは、タイミング差についての対数尤度比（ＬＬＲ）をバッファリングすることによって、タイミング差についてバッファリングすることができる。特に、サービングセルとネイバーセルが緩く同期されているとき、ＵＥは、タイミング差に基づいて信号を合成するために、サブフレーム全体をバッファリングしなくてよく、代わりにタイミング差についてバッファリングすればよい。ＵＥは、（サブフレーム全体についてではなく）タイミング差についてのみバッファリングすればよいので、バッファリングのためのメモリ要件は低い。たとえば、同期エラーが小さい場合（たとえば、ハーフシンボルまたは３０マイクロ秒前後）、第１のシナリオによるバッファは、３５マイクロ秒間分のデータのみを保持する必要がある。この例では、３５マイクロ秒間の同期エラーは、１つのサブフレーム（１ｍｓ）と比較して小さいが、ＣＰよりも大きくなるのに十分なだけ大きく、したがって、信号は、オーバージエアで直接合成することができない。ＵＥは、サービングセルＭＢＭＳ信号と複数のネイバーセルＭＢＭＳ信号が同期され得るように、サービングセルＭＢＭＳ信号と複数のネイバーセルＭＢＭＳ信号との間の複数のタイミング差をバッファリングすることができる。
【００８０】
[00108]サービングセルとネイバーセルが非同期である第２のシナリオにおいて、ＵＥは、各信号のサブフレーム全体をバッファリングし、次いで、信号を合成する。ＵＥは、バッファリングする前に信号の間のフレームオフセットを測定するように構成される。
【００８１】
[00109]図１２は、第１の手法による、ワイヤレス通信の方法のフローチャート１２００である。本方法はＵＥによって実施され得る。１２０２において、ＵＥは、１つまたは複数のパラメータに基づいて、ＵＥがＭＢＳＦＮエリアのサブ領域内に位置するかどうかを決定する。１２０４において、ＵＥは、１２０２における決定に基づいて、ＵＥがＭＢＳＦＮエリアのサブ領域内に位置するときはブロードキャストを介して、またはＵＥがサブ領域内に位置していないときはユニキャストを介して、サービスを受信する。ある態様では、ＭＢＳＦＮエリアはユニキャストエリアよりも小さい。ある態様では、１つまたは複数のパラメータは、ブロードキャストサービスに関連付けられた特性、ユニキャストサービスに関連付けられた特性、タイミングアドバンス値、ＵＥのロケーション、パスロス値、ＭＢＳＦＮエリアのサブ領域のパラメータ、ジオメトリ、またはそれらの任意の組合せを含み得る。たとえば、再び図９を参照すると、小規模ＭＢＳＦＮエリアは、ＭＢＳＦＮセル９０２のサブ領域９３２中で縮小ｅＭＢＭＳカバレージを提供することができ、ここで、サブ領域９３２は、ＭＢＳＦＮセル９０２によってカバーされるＭＢＳＦＮエリアよりも小さい。たとえば、再び図９を参照すると、ＵＥは、ＵＥ（たとえば、ＵＥ９５２）がサブ領域９３２内にある場合はブロードキャストを介してサービスを受信し、ＵＥは、ＵＥ（たとえば、ＵＥ９５４）がサブ領域９３２の外にある場合はユニキャストを介してサービスを受信する。上で論じたように、たとえば、小規模ＭＢＳＦＮ中のセルの数は、周囲のユニキャストネットワーク中のセルの数よりも小さくてよい。
【００８２】
[00110]図１３Ａは、図１２から展開するワイヤレス通信の方法のフローチャート１３００である。この方法はＵＥによって実施されてよく、ここでＵＥは、最初はブロードキャストを介してサービスを受信する。１３０２において、ＵＥは、１つまたは複数のパラメータに基づいて、ブロードキャストを介したサービスの受信からユニキャストを介したサービスの受信に切り替える。たとえば、上で論じたように、ＵＥは、ブロードキャストサービスに関連付けられた特性、ユニキャストサービスに関連付けられた特性、タイミングアドバンス値、ＵＥのロケーション、パスロス値、ＭＢＳＦＮエリアのサブ領域のパラメータ、およびジオメトリなどのパラメータに基づいて、ＢＣからＵＣに切り替えると決定してよい。
【００８３】
[00111]図１３Ｂは、図１２から展開するワイヤレス通信の方法のフローチャート１３３０である。１３３２において、ＵＥは、基地局から、１つまたは複数のパラメータに関連付けられた１つまたは複数の閾値を受信する。１３３４において、ＵＥは、１つまたは複数の閾値および１つまたは複数のパラメータに基づいて、ブロードキャストを介したサービスの受信とユニキャストを介したサービスの受信との間で切り替える。一態様では、たとえば、上で論じたように、ＵＥが、閾値およびパラメータに基づいて、ＢＣからＵＣに切り替えると決定することができるように、ｅＮＢが、パラメータに対応する閾値をＵＥに与え得る。たとえば、上で論じたように、ｅＮＢは、ブロードキャストＲＳＲＰについての閾値をＵＥに与えることができ、ブロードキャストＲＳＲＰが、ネットワークによって与えられた閾値未満であるとＵＥが決定した場合、ＵＥはＢＣからＵＣに切り替えてよい。別の態様では、たとえば、上で論じたように、ｅＮＢが、上記パラメータに対応する閾値をＵＥに与え、ＵＥは、閾値および上記パラメータに基づいて、ＵＣからＢＣに切り替えると決定する。たとえば、上で論じたように、ブロードキャスト信号が、ｅＮＢによって与えられた閾値に基づく条件を満足しないとＵＥが決定した場合、ＵＥは、ＵＣを介したサービスの受信から、ＢＣを介したサービスの受信に切り替えると決定してよい。
【００８４】
[00112]図１３Ｃは、図１２から展開するワイヤレス通信の方法のフローチャート１３５０である。この方法はＵＥによって実施されてよく、ここでＵＥは、最初はブロードキャストを介してサービスを受信する。１３５２において、ＵＥは、基地局からハンドオーバコマンドを受信し、ここで、ハンドオーバコマンドは、１つまたは複数のパラメータに基づいて、基地局によって生成される。１３５４において、ＵＥは、ハンドオーバコマンドに基づいて、ブロードキャストを介したサービスの受信から、ユニキャストを介したサービスの受信に切り替える。たとえば、上で論じたように、ネットワークは、パラメータに基づいてＵＥにハンドオーバコマンドを送ってよく、ここで、ハンドオーバコマンドは、ＵＥをＢＣからＵＣに切り替えさせる。たとえば、上で論じたように、ｅＮＢ９１２が、ＵＥ９５４向けのブロードキャストＲＳＲＰが一定の閾値未満であると決定した場合、ｅＮＢ９１２は、ＵＥ９５４をＢＣからＵＣに切り替えさせるために、ＵＥ９５４にハンドオーバコマンドを送ってよい。
【００８５】
[00113]図１４Ａは、図１２から展開するワイヤレス通信の方法のフローチャート１４００である。この方法はＵＥによって実施されてよく、ここでＵＥは、最初はユニキャストを介してサービスを受信する。１４０２において、ＵＥは、ＭＢＳＦＮエリアからの信号品質を測定する。１４０４において、ＵＥは、測定された信号品質に基づいて、ユニキャストを介したサービスの受信から、ブロードキャストを介したサービスの受信に切り替える。たとえば、上で論じたように、ＵＣを介してサービスを受信中であるＵＥは、ＭＢＳＦＮを定期的に測定し続け、ＭＢＳＦＮブロードキャストが利用可能であるとＵＥが決定したとき、ＢＣを介したサービスの受信に切り替えてよい。たとえば、再び図９を参照すると、ＵＥ９５４が、ｅＮＢ９１４ｃ経由でＵＣを介してサービスを受信する間、ＵＥ９５４は、ｅＮＢ９１２からのＭＢＳＦＮ信号強度を測定し続け、ｅＮＢ９１２からのＭＢＳＦＮ信号強度が強い場合、ＢＣを介したサービスの受信に切り替え得る。
【００８６】
[00114]図１４Ｃは、図１２から展開するワイヤレス通信の方法のフローチャート１４５０である。この方法はＵＥによって実施されてよく、ここでＵＥは、最初はユニキャストを介してサービスを受信する。１４５２において、ＵＥは、ＵＥのユニキャスト測定、ＭＢＳＦＮ測定、またはそれらの任意の組合せを実施する。１４５４において、ＵＥは、ＵＥのユニキャスト測定、ＭＢＳＦＮ測定、またはそれらの組合せを基地局に送信する。１４５６において、ＵＥは、送信に基づいて、ユニキャストを介したサービスの受信から、ブロードキャストを介したサービスの受信に切り替えるためのコマンドを、基地局から受信する。１４５８において、ＵＥは、コマンドに基づいて、ユニキャストを介したサービスの受信から、ブロードキャストを介したサービスの受信に切り替える。たとえば、上で論じたように、ｅＮＢが、ＵＥのユニキャスト測定および随意にはＭＢＳＦＮ（ブロードキャスト）測定に基づいて、ＵＣからＢＣにリダイレクトするためのハンドオーバコマンドをＵＥに送る。ユニキャスト測定およびＭＢＳＦＮ測定は、ＵＥによって実施され、ｅＮＢに送られる。再び図９を参照すると、たとえば、ＵＥが、最初はｅＮＢ９１４ｃ経由でユニキャストを介してサービスを受信し、ｅＮＢ９１４ｃが、ＵＥ９５４向けのユニキャストＲＳＲＰが一定の閾値未満であると決定した場合、ｅＮＢ９１４ｃは、ＵＥ９５４をＵＣからＢＣに切り替えさせるためのコマンドをＵＥ９５４に送ってよい。
【００８７】
[00115]図１５は、第１の手法による、ワイヤレス通信の方法のフローチャート１５００である。この方法は、基地局によって実施され得る。１５０２において、基地局は、ブロードキャストを介してＭＢＳＦＮエリアのサブ領域中のＵＥにサービスを提供する。１５０４において、基地局は、１つまたは複数のパラメータに関連付けられた信号をＵＥに送り、信号は、ＵＥを、ブロードキャストを介したサービスの受信から、ユニキャストを介したサービスの受信に切り替えさせる。ある態様では、ＭＢＳＦＮエリアはユニキャストエリアよりも小さい。再び図９を参照すると、たとえば、ＵＥが、サブ領域９３２からサブ領域９３２の外に移動すると、ＵＥは、サービス（たとえば、グループ呼）を継続的に受信するために、ＢＣを介した（たとえば、ｅＭＢＭＳによる）受信から、ＵＣを介した受信に切り替え、ここで、ＢＣからＵＣへの切替えは、１つまたは複数のパラメータ、および基地局から受信された他の情報に基づき得る。上で論じたように、たとえば、小規模ＭＢＳＦＮ中のセルの数は、周囲のユニキャストネットワーク中のセルの数よりも小さくてよい。
【００８８】
[00116]ある態様では、１つまたは複数のパラメータは、ブロードキャストサービスに関連付けられた特性、ユニキャストサービスに関連付けられた特性、タイミングアドバンス値、ＵＥのロケーション、パスロス値、ＭＢＳＦＮエリアのサブ領域のパラメータ、およびジオメトリを含み得る。ある態様では、信号は、１つまたは複数のパラメータについての１つまたは複数の閾値を含むことができ、１つまたは複数のパラメータについての１つまたは複数の閾値は、ＵＥを、ブロードキャストを介したサービスの受信から、ユニキャストを介したサービスの受信に切り替えさせる。上で論じたように、ＵＥが、閾値および上記パラメータに基づいて、ＢＣからＵＣに切り替えると決定することができるように、ｅＮＢが、上記パラメータに対応する閾値をＵＥに与える。ある態様では、基地局は、１つまたは複数のパラメータに基づいて、ＵＥへの信号中でハンドオーバコマンドを送ると決定してよく、ハンドオーバコマンドは、ＵＥを、ブロードキャストを介したサービスの受信から、ユニキャストを介したサービスの受信に切り替えさせる。上で論じたように、ｅＮＢが、上記パラメータに基づいてＵＥにハンドオーバコマンドを送り、ここで、ハンドオーバコマンドは、ＵＥをＢＣからＵＣに切り替えさせる。
【００８９】
[00117]図１６は、第１の手法による、ワイヤレス通信の方法のフローチャート１６００である。この方法は、基地局によって実施され得る。１６０２において、基地局は、ユニキャストを介してＵＥにサービスを提供する。１６０４において、基地局は、１つまたは複数のパラメータに関連付けられた信号をＵＥに送り、信号は、ＵＥを、ＭＢＳＦＮエリアのサブ領域中で、ユニキャストを介したサービスの受信から、ブロードキャストを介したサービスの受信に切り替えさせる。ある態様では、ＭＢＳＦＮエリアはユニキャストエリアよりも小さい。上で論じたように、ＵＥが、非ＭＢＳＦＮカバレージエリアからＭＢＳＦＮカバレージエリアに移動すると、ＵＥは、サービス継続性を確実にするために、ＵＣを介したサービス（たとえば、グループ呼）の受信から、ＢＣを介したサービスの受信に切り替えると決定してよく、ここで、ＵＣからＢＣへの切替えは、１つまたは複数のパラメータおよび基地局から受信された他の情報に基づき得る。
【００９０】
[00118]ある態様では、１つまたは複数のパラメータは、ブロードキャストサービスに関連付けられた特性、ユニキャストサービスに関連付けられた特性、タイミングアドバンス値、ＵＥのロケーション、パスロス値、ＭＢＳＦＮエリアのサブ領域のパラメータ、およびジオメトリを含み得る。ある態様では、信号は、１つまたは複数のパラメータについての１つまたは複数の閾値を含むことができ、１つまたは複数のパラメータについての１つまたは複数の閾値は、ＵＥを、ユニキャストを介したサービスの受信から、ブロードキャストを介したサービスの受信に切り替えさせる。上で論じたように、ｅＮＢが、上記パラメータに対応する閾値をＵＥに与え、ＵＥは、閾値および上記パラメータに基づいて、ＵＣからＢＣに切り替えると決定する。ある態様では、基地局は、１つまたは複数のパラメータに基づいて、ＵＥへの信号中でコマンドを送ると決定してよく、コマンドは、ＵＥを、ユニキャストを介したサービスの受信から、ブロードキャストを介したサービスの受信に切り替えさせ、コマンドは、ＵＥのユニキャスト測定、ＭＢＳＦＮ測定、またはそれらの任意の組合せに基づく。上で論じたように、ｅＮＢが、ＵＥのユニキャスト測定および随意にはＭＢＳＦＮ（ブロードキャスト）測定に基づいて、ＵＣからＢＣにリダイレクトするためのコマンドをＵＥに送る。
【００９１】
[00119]図１７は、第２の手法による、ワイヤレス通信の方法のフローチャート１７００である。本方法はＵＥによって実施され得る。１７０２において、ＵＥは、基地局から、再送信インジケータを受信する。１７０４において、ＵＥは、再送信インジケータを受信すると、基地局から、再送信インジケータに対応する信号のブロードキャスト再送信を受信する。１７０６において、ＵＥは、信号を復号するために、信号のブロードキャスト再送信と、ＵＥによって前に受信された信号の初回送信とを合成する。たとえば、上で論じたように、ｅＮＢは、信号のブロードキャスト再送信のインジケータを、ＵＥに送ってよい。上で論じたように、ブロードキャスト再送信インジケータを送信した後、ｅＮＢは、ブロードキャスト信号をＵＥに再送信する。上で論じたように、ＵＥは、信号品質を向上させるために、ブロードキャスト信号を生成するようにブロードキャスト再送信と初回送信とを合成する。上で論じたように、ＵＥは、ブロードキャスト信号を生成するために、信号の複数の再送信を、信号の初回送信と合成することができる。そのようなケースにおいて、信号の複数の再送信の各々の前に、ｅＮＢは、信号の複数の再送信の各々に対応するブロードキャスト再送信インジケータをＵＥに送ればよい。
【００９２】
[00120]ある態様では、ブロードキャスト再送信は、信号の初回送信と同じＭＳＰ、または信号の初回送信とは異なるＭＳＰ中に実施される。上で論じたように、ｅＮＢは、最初に送信されたｅＭＢＭＳ信号のＭＳＰと同じＭＳＰ中に、または異なるＭＳＰ中に、ブロードキャスト信号を再送信してよい。
【００９３】
[00121]図１８Ａは、図１７から展開するワイヤレス通信の方法のフローチャート１８００である。この方法は、ＵＥによって実施され得る。１８０２において、ＵＥは、共通ＮＡＣＫリソースに関連付けられた情報を基地局から受信する。１８０４において、ＵＥが、信号を復号するのに失敗すると、ＵＥは、共通ＮＡＣＫリソースにより基地局にＮＡＣＫを送信する。ある態様では、共通ＮＡＣＫリソースは、ＵＥを含む、ＵＥのグループによって共有される。ある態様では、ＵＥは、送信されたＮＡＣＫのエネルギーメトリックに基づいて信号を再送信するという、ＭＣＥによる決定に基づいて、信号のブロードキャスト再送信を基地局から受信する。たとえば、上で論じたように、ｅＮＢが、共通ＮＡＣＫリソースについての情報を、同じグループ中のＵＥの各々に送り得る。上で論じたように、ＵＥが、初回送信の信号のパケットを復号するのに失敗すると、ＵＥは、共通ＮＡＣＫリソースにより、ｅＮＢにＮＡＣＫを送る。上で論じたように、ＮＡＣＫのエネルギーメトリックに基づいて、ＭＣＥは、信号のパケットをＵＥに再送信するよう、ｅＮＢを促すかどうかを決定する。上で論じたように、共通ＮＡＣＫリソースは、同じグループ中のＵＥに割り当てられ、同じグループ中のＵＥによって共有される。
【００９４】
[00122]ある態様では、ＮＡＣＫリソースについての情報は、ＳＩＢ１３、ＭＣＣＨ、専用シグナリング、またはそれらの任意の組合せにより、ＵＥにおいて受信される。ある態様では、信号のブロードキャスト再送信は、次のＭＳＰの１つまたは複数のパケット中で受信される。ある態様では、ＵＥは、初回送信と少なくとも１つのブロードキャスト再送信とを区別するために、少なくとも１つのブロードキャスト再送信の前に、再送信インジケータをＭＳＩ中で受信する。
【００９５】
[00123]図１８Ｂは、図１７から展開するワイヤレス通信の方法のフローチャート１８５０である。この方法は、ＵＥによって実施され得る。１８５２において、ＵＥは、共通ＮＡＣＫリソースに関連付けられた情報とＧ−ＲＮＴＩとを基地局から受信する。１８５４において、ＵＥが、信号を復号するのに失敗すると、ＵＥは、共通ＮＡＣＫリソースによりＵＥからＮＡＣＫを送信する。ある態様では、共通ＮＡＣＫリソースは、ＵＥを含む、ＵＥのグループによって共有される。ある態様では、ＵＥは、Ｇ−ＲＮＴＩについてのスケジューリングおよび再送信インジケータに基づいて、信号のブロードキャスト再送信を受信する。たとえば、上で論じたように、ｅＮＢは、構成されたＮＡＣＫリソースとＧ−ＲＮＴＩとをＵＥに送る。上で論じたように、ＵＥが、信号のパケットを復号するのに失敗すると、ＵＥは、構成されたＮＡＣＫリソースにより、ｅＮＢにＮＡＣＫを送る。上で論じたように、ｅＮＢが、信号を再送信すると決定した場合、ｅＮＢは、ＵＥに再送信インジケータを送る。その後、上で論じたように、ｅＮＢは、信号の再送信のために、Ｇ−ＲＮＴＩによってアドレス指定された送信をスケジュールし、次いで、Ｇ−ＲＮＴＩについてのスケジューリングに基づいて、ＵＥへの信号の再送信を実施する。上で論じたように、共通ＮＡＣＫリソースは、同じグループ中のＵＥに割り当てられ、同じグループ中のＵＥによって共有される。
【００９６】
[00124]ある態様では、少なくとも１つのブロードキャスト再送信は、基地局が再送信すると決定した場合、Ｇ−ＲＮＴＩに従ってスケジュールされる。ある態様では、ＮＡＣＫリソースおよびＧ−ＲＮＴＩは、セルごとに、またはセルごと、グループごとに構成される。ある態様では、ＮＡＣＫリソースについての情報は、ＳＩＢ１３、ＭＣＣＨ、専用シグナリング、またはそれらの任意の組合せにより、ＵＥにおいて受信される。
【００９７】
[00125]図１９は、第２の手法による、ワイヤレス通信の方法のフローチャート１９００である。この方法は、基地局によって実施され得る。１９０２において、基地局は、信号の初回送信をＵＥに送る。１９０４において、基地局は、少なくとも１つの再送信インジケータをＵＥに送る。１９０６において、基地局は、信号の少なくとも１つのブロードキャスト再送信と、信号の初回送信の合成に基づいて、信号の復号を円滑にするために、少なくとも１つの再送信インジケータを送った後、少なくとも１つの再送信インジケータにそれぞれ対応する、信号の少なくとも１つのブロードキャスト再送信をＵＥに送る。たとえば、上で論じたように、ｅＮＢが最初にブロードキャスト信号（たとえば、ｅＭＢＭＳ信号）を送信した後、ｅＮＢは、信号のブロードキャスト再送信のインジケータをＵＥに送ってよい。上で論じたように、ブロードキャスト再送信インジケータを送信した後、ｅＮＢは、ＵＥがブロードキャスト信号を生成するためにブロードキャスト再送信と初回送信とを合成することができるように、ブロードキャスト信号をＵＥに再送信する。
【００９８】
[00126]ある態様では、少なくとも１つのブロードキャスト再送信は、信号の初回送信のＭＳＰと同じマルチキャストチャネルスケジューリング期間（ＭＳＰ）を使って、または信号の初回送信のＭＳＰとは異なるＭＳＰを使って、実施される。
【００９９】
[00127]ある態様では、基地局は、単一サイトＭＢＳＦＮエリアの信号品質およびＭＣＳに基づいて、信号の少なくとも１つのブロードキャスト再送信をＵＥに１回または複数回送るよう、ＭＣＥによって促される。ある態様では、基地局は、単一サイトＭＢＳＦＮエリアのＳＮＲがＳＮＲ閾値以下であるとき、信号の少なくとも１つのブロードキャスト再送信を送るよう促される。たとえば、上で論じたように、ＭＢＳＦＮエリアの信号品質（たとえば、ＳＮＲ）およびＭＣＳに基づいて、ＭＣＥが、各パケットの送信（再送信）を１回または複数回繰り返すよう、ｅＮＢに知らせる。上で論じたように、たとえば、ＳＮＲが低い（たとえば、一定の閾値を下回る）場合、ＭＣＥは、信号を１回または複数回再送信するよう、ｅＮＢに知らせてよい。
【０１００】
[00128]図２０Ａは、図１７から展開するワイヤレス通信の方法のフローチャート２０００である。この方法は、基地局によって実施され得る。２００２において、基地局は、共通ＮＡＣＫリソースについての情報をＵＥに送信する。２００４において、ＵＥが、信号を復号するのに失敗すると、基地局は、共通ＮＡＣＫリソースによりＵＥからＮＡＣＫを受信する。ある態様では、共通ＮＡＣＫリソースは、ＵＥを含む、ＵＥのグループによって共有され、ＵＥのグループは、基地局を含む１つまたは複数の基地局によってサービスされる。ある態様では、基地局は、１つまたは複数の基地局において受信されたＮＡＣＫのエネルギーメトリックに基づいて信号を再送信するという、ＭＣＥによる決定に基づいて、信号の少なくとも１つのブロードキャスト再送信をＵＥに送る。たとえば、上で論じたように、ｅＮＢが、共通ＮＡＣＫリソースについての情報を、同じグループ中のＵＥの各々に送り得る。上で論じたように、ＵＥが、初回送信の信号のパケットを復号するのに失敗すると、ＵＥは、共通ＮＡＣＫリソースにより、ｅＮＢにＮＡＣＫを送る。上で論じたように、ＮＡＣＫのエネルギーメトリックに基づいて、ＭＣＥは、信号のパケットをＵＥに再送信するよう、ｅＮＢを促すかどうかを決定する。上で論じたように、共通ＮＡＣＫリソースは、同じグループ中のＵＥに割り当てられ、同じグループ中のＵＥによって共有される。
【０１０１】
[00129]ある態様では、ＮＡＣＫリソースについての情報は、ＳＩＢ１３、ＭＣＣＨ、専用シグナリング、またはそれらの任意の組合せにより、ＵＥに送信される。ある態様では、少なくとも１つのブロードキャスト再送信は、次のＭＳＰの１つまたは複数のパケット中で送られる。
【０１０２】
[00130]図２０Ｂは、図１７から展開するワイヤレス通信の方法のフローチャート２０５０である。この方法は、基地局によって実施され得る。２０５２において、基地局は、共通ＮＡＣＫリソースについての情報とＧ−ＲＮＴＩとをＵＥに送信する。２０５４において、ＵＥが、信号を復号するのに失敗すると、基地局は、共通ＮＡＣＫリソースによりＵＥからＮＡＣＫを受信する。ある態様では、共通ＮＡＣＫリソースは、ＵＥを含む、ＵＥのグループによって共有され、ＵＥのグループは、基地局を含む１つまたは複数の基地局によってサービスされる。ある態様では、基地局は、受信されたＮＡＣＫのエネルギーメトリック、およびＧ−ＲＮＴＩについてのスケジューリングに基づいて、信号の少なくとも１つのブロードキャスト再送信をＵＥに送る。上で論じたように、たとえば、ｅＮＢは、構成されたＮＡＣＫリソースとＧ−ＲＮＴＩとをＵＥに送る。上で論じたように、ＵＥが、信号のパケットを復号するのに失敗すると、ＵＥは、構成されたＮＡＣＫリソースにより、ｅＮＢにＮＡＣＫを送る。上で論じたように、共通ＮＡＣＫリソースは、同じグループ中のＵＥに割り当てられ、同じグループ中のＵＥによって共有される。
【０１０３】
[00131]ある態様では、少なくとも１つのブロードキャスト再送信は、基地局が再送信すると決定した場合、Ｇ−ＲＮＴＩに従ってスケジュールされる。ある態様では、ＮＡＣＫリソースおよびＧ−ＲＮＴＩは、セルごとに、またはセルごと、グループごとに構成される。ある態様では、ＮＡＣＫリソースについての情報は、ＳＩＢ１３、ＭＣＣＨ、専用シグナリング、またはそれらの任意の組合せにより、ＵＥに送信される。
【０１０４】
[00132]図２１は、第３の手法による、ワイヤレス通信の方法のフローチャート２１００である。この方法は、ＵＥによって実施され得る。２１０２において、ＵＥは、ＵＥのサービングセルからのサービングセルＭＢＭＳ信号と、少なくとも１つのネイバーセルからの少なくとも１つのネイバーセルＭＢＭＳ信号とを受信する。たとえば、再び図１１を参照すると、ＭＢＳＦＮセル１１０２中のＵＥ１１５２に対して、サービングセルはＭＢＳＦＮセル１１０２ａであり、ネイバーセルはＭＢＳＦＮセル１１１２ｂおよび１１１２ｃである。ＵＥ１１５２は、サービングセルおよびネイバーセルから信号を受信する。
【０１０５】
[00133]２１０４において、ＵＥは、サービングセルＭＢＭＳ信号とネイバーセルＭＢＭＳ信号との間の同期の程度を決定する。２１０６において、ＵＥは、同期の程度が閾値以上であるかどうかを決定する。同期の程度が閾値以上である場合、２１０８において、ＵＥは、同期の程度が閾値以上であると決定すると、サービングセルと少なくとも１つのネイバーセルとの間のタイミング差をバッファリングし、その後、２１１２において、同期の程度に基づいて、サービングセルＭＢＭＳ信号とネイバーセルＭＢＭＳ信号とを合成する。ある態様では、合成はタイミング差に基づく。ある態様では、タイミング差をバッファリングすることは、タイミング差についての１つまたは複数のＬＬＲをバッファリングすることを含み得る。たとえば、上で論じたように、サービングセル信号とネイバーセル信号の同期の程度が閾値以上であるとＵＥが決定した場合、ＵＥは、サービングセルとネイバーセルが少なくとも緩く同期されていると決定する。そのようなケースでは、上で論じたように、ＵＥは、タイミング差に基づいて、信号を合成するために、サービングセルＭＢＭＳ信号とネイバーセルＭＢＭＳ信号との間のタイミング差をバッファリングする。
【０１０６】
[00134]同期の程度が閾値未満である場合、２１１０において、ＵＥは、同期の程度が閾値未満であると決定すると、サブフレームを全体としてバッファリングし、その後、２１１２において、同期の程度に基づいてサービングセルＭＢＭＳ信号とネイバーセルＭＢＭＳ信号とを合成する。ある態様では、合成は、バッファリングされたサブフレームに基づく。たとえば、上で論じたように、ＵＥが、サービングセル信号とネイバーセル信号の同期の程度が閾値未満であると決定した場合、ＵＥは、サービングセルとネイバーセルが非同期であると決定する。そのようなケースでは、上で論じたように、ＵＥは、各信号のサブフレーム全体をバッファリングし、次いで、信号を合成する。
【０１０７】
[00135]図２２は、例示的な装置２２０２中の異なるモジュール／手段／構成要素間のデータフローを示す概念データフロー図２２００である。装置２２０２は、ＵＥであり得る。装置は、受信モジュール２２０４と、送信モジュール２２０６と、ＵＣ／ＢＣ管理モジュール２２０８と、パラメータ管理モジュール２２１０と、復号モジュール２２１２と、ＮＡＣＫ管理モジュール２２１４と、同期モジュール２２１６とを含む。
【０１０８】
[00136]第１の手法によると、ＵＣ／ＢＣ管理モジュール２２０８は、パラメータ管理モジュール２２１０により、２２５２を通じて、１つまたは複数のパラメータに基づいて、装置２２０２がＭＢＳＦＮエリアのサブ領域内に位置するかどうかを決定する。ＵＣ／ＢＣ管理モジュール２２０８は、受信モジュール２２０４により、２２５４を通じて、ＵＣ／ＢＣ管理モジュール２２０８による決定に基づいて、ＵＥがＭＢＳＦＮエリアのサブ領域内に位置するときはブロードキャストを介して、またはＵＥがサブ領域内に位置していないときはユニキャストを介して、サービスを受信する。ある態様では、ＭＢＳＦＮエリアはユニキャストエリアよりも小さい。ある態様では、１つまたは複数のパラメータは、ブロードキャストサービスに関連付けられた特性、ユニキャストサービスに関連付けられた特性、タイミングアドバンス値、装置２２０２のロケーション、パスロス値、ＭＢＳＦＮエリアのサブ領域のパラメータ、ジオメトリ、またはそれらの任意の組合せを含み得る。
【０１０９】
[00137]一態様では、装置２２０２が最初に、ブロードキャストを介してサービスを受信すると、ＵＣ／ＢＣ管理モジュール２２０８は、１つまたは複数のパラメータに基づいて、ブロードキャストを介したサービスの受信から、ユニキャストを介したサービスの受信に切り替えてよい。一態様では、装置２２０２が最初に、ブロードキャストを介してサービスを受信すると、ＵＣ／ＢＣ管理モジュール２２０８は、受信モジュール２２０４により、２２５４を通じて、基地局２２５０から、１つまたは複数のパラメータに関連付けられた１つまたは複数の閾値を受信し、２２５２を通じて１つまたは複数の閾値および１つまたは複数のパラメータに基づいて、ブロードキャストを介したサービスの受信から、ユニキャストを介したサービスの受信に切り替えることができる。一態様では、装置２２０２が最初に、ブロードキャストを介してサービスを受信すると、ＵＣ／ＢＣ管理モジュール２２０８は、受信モジュール２２０４により、２２５４を通じて、基地局２２５０からハンドオーバコマンドを受信し、ここで、ハンドオーバコマンドは、１つまたは複数のパラメータに基づいて基地局２２５０によって生成される、およびハンドオーバコマンドに基づいて、ブロードキャストを介したサービスの受信から、ユニキャストを介したサービスの受信に切り替えることができる。
【０１１０】
[00138]一態様では、装置２２０２が最初に、ユニキャストを介してサービスを受信すると、パラメータ管理モジュール２２１０は、ユニキャストを介してサービスを受信する間にＭＢＳＦＮエリアからの信号品質を測定することができ、ＵＣ／ＢＣ管理モジュール２２０８は、２２５２を通じて、測定された信号品質に基づいて、ユニキャストを介したサービスの受信から、ブロードキャストを介したサービスの受信に切り替えてよい。一態様では、装置２２０２が最初に、ユニキャストを介してサービスを受信すると、ＵＣ／ＢＣ管理モジュール２２０８は、受信モジュール２２０４により、２２５４を通じて、１つまたは複数のパラメータに対応する１つまたは複数の閾値を基地局から受信し、２２５２を通じて１つまたは複数の閾値および１つまたは複数のパラメータに基づいて、ユニキャストを介したサービスの受信から、ブロードキャストを介したサービスの受信に切り替えることができる。一態様では、装置２２０２が最初に、ユニキャストを介してサービスを受信すると、パラメータ管理モジュール２２１０は、装置２２０２のユニキャスト測定、ＭＢＳＦＮ測定、またはそれらの任意の組合せを実施し、送信モジュール２２０６〜２２５６により、装置２２０２のユニキャスト測定、ＭＢＳＦＮ測定、またはそれらの任意の組合せを、基地局２２５０に送信する。その後、ＵＣ／ＢＣ管理モジュール２２０８は、受信モジュール２２０４により、２２５４を通じて、装置２２０２のユニキャスト測定、ＭＢＳＦＮ測定、またはそれらの任意の組合せに基づいて、ユニキャストを介したサービスの受信から、ブロードキャストを介したサービスの受信に切り替えるためのコマンドを基地局２２５０から受信し、コマンドに基づいて、ユニキャストを介したサービスの受信から、ブロードキャストを介したサービスの受信に切り替える。
【０１１１】
[00139]第２の手法によると、復号モジュール２２１２は、受信モジュール２２０４により、２２５８を通じて、基地局２２５０から再送信インジケータを受信し、再送信インジケータを受信すると、受信モジュール２２０４により、２２５８を通じて、再送信インジケータに対応する信号のブロードキャスト再送信を基地局２２５０から受信する。復号モジュール２２１２は、信号を復号するために、信号のブロードキャスト再送信と、装置２２０２によって前に受信された信号の初回送信とを合成する。ある態様では、ブロードキャスト再送信は、信号の初回送信と同じＭＳＰ、または信号の初回送信とは異なるＭＳＰ中に実施され得る。
【０１１２】
[00140]ある態様では、ＮＡＣＫ管理モジュール２２１４は、装置２２０２が復号モジュール２２１２により信号を復号するのに失敗したとき、受信モジュール２２０４により、２２６０を通じて基地局２２５０から共通ＮＡＣＫリソースについての情報を受信し、共通ＮＡＣＫリソースにより２２６２を通じて、送信モジュール２２０６経由で、基地局２２５０にＮＡＣＫを送信する。ある態様では、共通ＮＡＣＫリソースは、装置２２０２を含む、ＵＥのグループによって共有される。ある態様では、装置２２０２は、送信されたＮＡＣＫのエネルギーメトリックに基づいて信号を再送信するという、ＭＣＥによる決定に基づいて、受信モジュール２２０４により、信号の少なくとも１つのブロードキャスト再送信を基地局２２５０から受信する。
【０１１３】
[00141]ある態様では、ＮＡＣＫリソースに関連付けられた情報は、ＳＩＢ１３、ＭＣＣＨ、専用シグナリング、またはそれらの任意の組合せにより、装置２２０２において受信される。ある態様では、信号のブロードキャスト再送信は、次のＭＳＰの１つまたは複数のパケット中で受信される。ある態様では、装置２２０２は、信号の初回送信とブロードキャスト再送信とを区別するために、ブロードキャスト再送信の前に再送信インジケータをＭＳＩ中で受信する。
【０１１４】
[00142]ある態様では、ＮＡＣＫ管理モジュール２２１４は、受信モジュール２２０４により、２２６０を通じて、共通ＮＡＣＫリソースに関連付けられた情報とＧ−ＲＮＴＩとを基地局２２５０から受信する。ＮＡＣＫ管理モジュール２２１４は、装置２２０２が信号を復号するのに失敗したとき、送信モジュール２２０６経由で、装置２２０２から、２２６２を通じて共通ＮＡＣＫリソースによりＮＡＣＫを送信する。ある態様では、共通ＮＡＣＫリソースは、装置２２０２を含む、ＵＥのグループによって共有される。ある態様では、装置２２０２は、Ｇ−ＲＮＴＩについてのスケジューリングおよび再送信インジケータに基づいて、受信モジュール２２０４により、信号のブロードキャスト再送信を受信する。
【０１１５】
[00143]ある態様では、少なくとも１つのブロードキャスト再送信は、基地局２２５０が再送信すると決定した場合、Ｇ−ＲＮＴＩに従ってスケジュールされる。ある態様では、ＮＡＣＫリソースおよびＧ−ＲＮＴＩは、セルごとに、またはセルごと、グループごとに構成される。ある態様では、ＮＡＣＫリソースについての情報は、ＳＩＢ１３、ＭＣＣＨ、専用シグナリング、またはそれらの任意の組合せにより、装置２２０２において受信される。
【０１１６】
[00144]第３の手法によると、同期モジュール２２１６は、受信モジュール２２０４により、２２６４を通じて、装置２２０２のサービングセルからのサービングセルＭＢＭＳ信号と、ネイバーセルからのネイバーセルＭＢＭＳ信号とを受信し、サービングセルＭＢＭＳ信号とネイバーセルＭＢＭＳ信号との間の同期の程度を決定する。復号モジュール２２１２は、２２６６を通じて、同期の程度に基づいて、サービングセルＭＢＭＳ信号とネイバーセルＭＢＭＳ信号とを合成する。
【０１１７】
[00145]ある態様では、同期モジュール２２１６は、同期の程度が閾値以上であると決定すると、サービングセルとネイバーセルとの間のタイミング差をバッファリングする。ある態様では、復号モジュール２２１２による合成はタイミング差に基づく。ある態様では、タイミング差をバッファリングすることは、タイミング差についての１つまたは複数のＬＬＲをバッファリングすることを含み得る。
【０１１８】
[00146]ある態様では、同期モジュール２２１６は、同期の程度が閾値未満であると決定すると、サブフレームを全体としてバッファリングする。ある態様では、復号モジュール２２１２による合成は、バッファリングされたサブフレームに基づく。
【０１１９】
[00147]本装置は、図１２〜図１４、図１７、図１８、および図２１の上述のフローチャート中のアルゴリズムのステップの各々を実施する追加のモジュールを含み得る。したがって、図１２〜図１４、図１７、図１８、および図２１の上述のフローチャート中の各ステップは１つのモジュールによって実施され得、本装置は、それらのモジュールのうちの１つまたは複数を含み得る。モジュールは、具体的には記載のプロセス／アルゴリズムを実施するように構成され、記載のプロセス／アルゴリズムを実施するように構成されたプロセッサによって実装され、プロセッサによる実装のためにコンピュータ可読媒体内に記憶され、またはそれらの何らかの組合せである、１つまたは複数のハードウェア構成要素であり得る。
【０１２０】
[00148]図２３は、処理システム２３１４を用いる装置２２０２’のためのハードウェア実装の一例を示す図２３００である。処理システム２３１４は、バス２３２４によって概略的に表されるバスアーキテクチャを用いて実装され得る。バス２３２４は、処理システム２３１４の特定の適用例および全体的な設計制約に応じて、任意の数の相互接続するバスとブリッジとを含み得る。バス２３２４は、プロセッサ２３０４、モジュール２２０４、２２０６、２２０８、２２１０、２２１２、２２１４、２２１６、およびコンピュータ可読媒体／メモリ２３０６によって表される、１つまたは複数のプロセッサおよび／またはハードウェアモジュールを含む様々な回路を互いにリンクする。バス２３２４は、タイミングソース、周辺装置、電圧調整器、および電力管理回路などの様々な他の回路をリンクすることもできるが、これらの回路は当技術分野でよく知られており、したがってこれ以上は説明しない。
【０１２１】
[00149]処理システム２３１４は、トランシーバ２３１０に結合され得る。トランシーバ２３１０は、１つまたは複数のアンテナ２３２０に結合される。トランシーバ２３１０は、送信媒体を介して様々な他の装置と通信するための手段を備える。送受信機２３１０は、１つまたは複数のアンテナ２３２０から信号を受信し、受信された信号から情報を抽出し、抽出された情報を処理システム２３１４、特に受信モジュール２２０４に与える。加えて、トランシーバ２３１０は、処理システム２３１４、特に送信モジュール２２０６から情報を受信し、受信された情報に基づいて、１つまたは複数のアンテナ２３２０に適用されるべき信号を生成する。処理システム２３１４は、コンピュータ可読媒体／メモリ２３０６に結合されたプロセッサ２３０４を含む。プロセッサ２３０４は、コンピュータ可読媒体／メモリ２３０６上に記憶されたソフトウェアの実行を含む全般的な処理の責任を負う。ソフトウェアは、プロセッサ２３０４によって実行されると、処理システム２３１４に、任意の特定の装置のための上記で説明した様々な機能を実施させる。コンピュータ可読媒体／メモリ２３０６はまた、ソフトウェアを実行するときにプロセッサ２３０４によって操作されるデータを記憶するために使用され得る。処理システムは、モジュール２２０４、２２０６、２２０８、２２１０、２２１２、２２１４、２２１６、またはそれらの任意の組合せのうちの少なくとも１つをさらに含む。それらのモジュールは、プロセッサ２３０４中で動作するか、コンピュータ可読媒体／メモリ２３０６中に存在する／記憶されたソフトウェアモジュールであるか、プロセッサ２３０４に結合された１つもしくは複数のハードウェアモジュールであるか、またはそれらの何らかの組合せであり得る。処理システム２３１４は、ＵＥ６５０の構成要素であってよく、メモリ６６０、ならびに／またはＴＸプロセッサ６６８、ＲＸプロセッサ６５６、コントローラ／プロセッサ６５９、もしくはそれらの任意の組合せのうちの少なくとも１つを含み得る。
【０１２２】
[00150]一構成では、ワイヤレス通信のための装置２２０２／２２０２’は、１つまたは複数のパラメータに基づいて、装置２２０２／２２０２’がＭＢＳＦＮエリアのサブ領域内に位置するかどうかを決定するための手段と、決定に基づいて、装置２２０２／２２０２’がＭＢＳＦＮエリアのサブ領域内に位置するときはブロードキャストを介して、または装置２２０２／２２０２’がサブ領域内に位置していないときはユニキャストを介して、サービスを受信するための手段とを含む。ある態様では、ＭＢＳＦＮエリアはユニキャストエリアよりも小さい。装置２２０２／２２０２’は、ＵＥであり得る。
【０１２３】
[00151]ある態様では、装置２２０２／２２０２’は、ブロードキャストを介してサービスを受信し、装置２２０２／２２０２’は、１つまたは複数のパラメータに基づいて、ブロードキャストを介したサービスの受信から、ユニキャストを介したサービスの受信に切り替えるための手段をさらに含む。ある態様では、装置２２０２／２２０２’は、基地局から、１つまたは複数のパラメータに関連付けられた１つまたは複数の閾値を受信するための手段と、１つまたは複数の閾値および１つまたは複数のパラメータに基づいて、ブロードキャストを介したサービスの受信とユニキャストを介したサービスの受信との間で切り替えるための手段とをさらに含む。ある態様では、装置２２０２／２２０２’は、ブロードキャストを介してサービスを受信し、装置２２０２／２２０２’は、基地局からハンドオーバコマンドを受信するための手段と、ここで、ハンドオーバコマンドは、１つまたは複数のパラメータに基づいて基地局によって生成される、ハンドオーバコマンドに基づいて、ブロードキャストを介したサービスの受信から、ユニキャストを介したサービスの受信に切り替えるための手段とをさらに含む。
【０１２４】
[00152]ある態様では、装置２２０２／２２０２’は、ユニキャストを介してサービスを受信し、装置２２０２／２２０２’は、ＭＢＳＦＮエリアからの信号品質を測定するための手段と、測定された信号品質に基づいて、ユニキャストを介したサービスの受信から、ブロードキャストを介したサービスの受信に切り替えるための手段とをさらに含む。ある態様では、装置２２０２／２２０２’は、ユニキャストを介してサービスを受信し、装置２２０２／２２０２’は、装置２２０２／２２０２’のユニキャスト測定、ＭＢＳＦＮ測定、またはそれらの任意の組合せを実施するための手段と、装置２２０２／２２０２’のユニキャスト測定、ＭＢＳＦＮ測定、またはそれらの任意の組合せを基地局に送信するための手段と、送信に基づいて、受信、ユニキャストを介したサービスから、ブロードキャストを介したサービスの受信に切り替えるためのコマンドを基地局から受信するための手段と、コマンドに基づいて、ユニキャストを介したサービスの受信から、ブロードキャストを介したサービスの受信に切り替えるための手段とをさらに含む。
【０１２５】
[00153]別の構成では、ワイヤレス通信のための装置２２０２／２２０２’は、基地局から再送信インジケータを受信するための手段と、再送信インジケータを受信すると、再送信インジケータに対応する信号のブロードキャスト再送信を基地局から受信するための手段と、信号を復号するために、信号のブロードキャスト再送信と、装置２２０２／２２０２’によって前に受信された信号の初回送信とを合成するための手段とを含む。装置２２０２／２２０２’は、ＵＥであり得る。装置２２０２／２２０２’は、共通ＮＡＣＫリソースに関連付けられた情報を基地局から受信するための手段と、装置２２０２／２２０２’が信号を復号するのに失敗したとき、共通ＮＡＣＫリソースにより基地局にＮＡＣＫを送信するための手段とをさらに含み得る。ある態様では、共通ＮＡＣＫリソースは、装置２２０２／２２０２’を含む、ＵＥのグループによって共有される。ある態様では、装置２２０２／２２０２’は、送信されたＮＡＣＫのエネルギーメトリックに基づいて信号を再送信するという、ＭＣＥによる決定に基づいて、信号のブロードキャスト再送信を基地局から受信する。装置２２０２／２２０２’は、共通ＮＡＣＫリソースに関連付けられた情報とＧ−ＲＮＴＩとを基地局から受信するための手段と、装置２２０２／２２０２’が信号を復号するのに失敗したとき、共通ＮＡＣＫリソースにより装置２２０２／２２０２’からＮＡＣＫを送信するための手段とをさらに含み得る。ある態様では、共通ＮＡＣＫリソースは、装置２２０２／２２０２’を含む、ＵＥのグループによって共有される。ある態様では、装置２２０２／２２０２’は、Ｇ−ＲＮＴＩについてのスケジューリングおよび再送信インジケータに基づいて、信号のブロードキャスト再送信を受信する。
【０１２６】
[00154]別の構成では、ワイヤレス通信のための装置２２０２／２２０２’は、装置２２０２／２２０２’のサービングセルからのサービングセルＭＢＭＳ信号と、ネイバーセルからのネイバーセルＭＢＭＳ信号とを受信するための手段と、サービングセルＭＢＭＳ信号と少なくとも１つのネイバーセルＭＢＭＳ信号との間の同期の程度を決定するための手段と、同期の程度に基づいて、サービングセルＭＢＭＳ信号と少なくとも１つのネイバーセルＭＢＭＳ信号とを合成するための手段とを含む。装置２２０２／２２０２’は、ＵＥであり得る。装置２２０２／２２０２’は、同期の程度が閾値以上であると決定すると、サービングセルとネイバーセルとの間のタイミング差をバッファリングするための手段をさらに含み得る。ある態様では、合成はタイミング差に基づく。装置２２０２／２２０２’は、同期の程度が閾値未満であると決定すると、サブフレームを全体としてバッファリングするための手段をさらに含み得る。ある態様では、合成は、バッファリングされたサブフレームに基づく。
【０１２７】
[00155]上述の手段は、上述の手段によって具陳される機能を実施するように構成された、装置２２０２および／または装置２２０２’の処理システム２３１４の上述のモジュールのうちの１つまたは複数であり得る。上記で説明したように、処理システム２３１４は、ＴＸプロセッサ６６８と、ＲＸプロセッサ６５６と、コントローラ／プロセッサ６５９とを含み得る。したがって、一構成では、上述の手段は、上述の手段によって具陳される機能を実施するように構成された、ＴＸプロセッサ６６８と、ＲＸプロセッサ６５６と、コントローラ／プロセッサ６５９とであり得る。
【０１２８】
[00156]図２４は、例示的な装置２４０２中の異なるモジュール／手段／構成要素間のデータフローを示す概念データフロー図２４００である。装置２４０２は、ｅＮＢであり得る。装置は、受信モジュール２４０４と、送信モジュール２４０６と、サービス管理モジュール２４０８と、パラメータ管理モジュール２４１０と、再送信管理モジュール２４１２と、ＮＡＣＫ管理モジュール２４１４とを含む。
【０１２９】
[00157]第１の手法によると、サービス管理モジュール２４０８は、送信モジュール２４０６により、２４５２を通じて、ブロードキャストを介してＭＢＳＦＮエリアのサブ領域中のＵＥ２４５０にサービスを提供し、パラメータ管理モジュール２４１０は、送信モジュール２４１６により、２４５４を通じて、１つまたは複数のパラメータに関連付けられた信号をＵＥ２４５０に送り、信号は、ＵＥ２４５０を、ブロードキャストを介したサービスの受信から、ユニキャストを介したサービスの受信に切り替えさせる。ある態様では、ＭＢＳＦＮエリアはユニキャストエリアよりも小さい。ある態様では、１つまたは複数のパラメータは、ブロードキャストサービスに関連付けられた特性、ユニキャストサービスに関連付けられた特性、タイミングアドバンス値、ＵＥ２４５０のロケーション、パスロス値、ＭＢＳＦＮエリアのサブ領域のパラメータ、およびジオメトリを含み得る。
【０１３０】
[00158]ある態様では、信号は、１つまたは複数のパラメータについての１つまたは複数の閾値を含み、１つまたは複数のパラメータについての１つまたは複数の閾値は、ＵＥ２４５０を、ブロードキャストを介したサービスの受信から、ユニキャストを介したサービスの受信に切り替えさせる。ある態様では、装置２４０２は、１つまたは複数のパラメータに基づいて、送信モジュール２４０６により、ＵＥ２４５０への信号中でハンドオーバコマンドを送ると決定し、ハンドオーバコマンドは、ＵＥ２４５０を、ブロードキャストを介したサービスの受信から、ユニキャストを介したサービスの受信に切り替えさせる。
【０１３１】
[00159]第１の手法の別の態様によると、サービス管理モジュール２４０８は、送信モジュール２４０６により、２４５２を通じて、ユニキャストを介してＵＥ２４５０にサービスを提供し、パラメータ管理モジュール２４１０は、送信モジュール２４１６により、２４５４を通じて、１つまたは複数のパラメータに関連付けられた信号をＵＥに送り、信号は、ＵＥを、ＭＢＳＦＮエリアのサブ領域中で、ユニキャストを介したサービスの受信から、ブロードキャストを介したサービスの受信に切り替えさせる。ある態様では、ＭＢＳＦＮエリアはユニキャストエリアよりも小さい。ある態様では、１つまたは複数のパラメータは、ブロードキャストサービスに関連付けられた特性、ユニキャストサービスに関連付けられた特性、タイミングアドバンス値、ＵＥ２４５０のロケーション、パスロス値、ＭＢＳＦＮエリアのサブ領域のパラメータ、およびジオメトリを含み得る。
【０１３２】
[00160]ある態様では、信号は、１つまたは複数のパラメータについての１つまたは複数の閾値を含み、１つまたは複数のパラメータについての１つまたは複数の閾値は、ＵＥ２４５０を、ユニキャストを介したサービスの受信から、ブロードキャストを介したサービスの受信に切り替えさせる。ある態様では、装置２４０２は、１つまたは複数のパラメータに基づいて、送信モジュール２４０６により、ＵＥ２４５０への信号中でコマンドを送ると決定し、コマンドは、ＵＥ２４５０を、ユニキャストを介したサービスの受信から、ブロードキャストを介したサービスの受信に切り替えさせ、コマンドは、２４５６を通じた、ＵＥ２４５０のユニキャスト測定、受信モジュール２４０４により受信されたＭＢＳＦＮ測定、またはそれらの任意の組合せに基づく。
【０１３３】
[00161]第２の手法によると、送信モジュール２４０６は、ＵＥ２４５０に信号の初回送信を送る。再送信管理モジュール２４１２は、送信モジュール２４０６により、２４５８を通じて、少なくとも１つの再送信インジケータをＵＥ２４５０に送り、信号の少なくとも１つのブロードキャスト再送信と信号の初回送信の合成に基づく信号の復号を円滑にするために、少なくとも１つの再送信インジケータを送った後、送信モジュール２４０６により、２４５８を通じて、少なくとも１つの再送信インジケータにそれぞれ対応する、信号の少なくとも１つのブロードキャスト再送信をＵＥ２４５０に送る。
【０１３４】
[00162]ある態様では、少なくとも１つのブロードキャスト再送信は、信号の初回送信のＭＳＰと同じＭＳＰを使って、または信号の初回送信のＭＳＰとは異なるＭＳＰを使って、実施され得る。
【０１３５】
[00163]ある態様では、装置２４０２は、単一サイトＭＢＳＦＮエリアの信号品質およびＭＣＳに基づいて、信号の少なくとも１つのブロードキャスト再送信をＵＥ２４５０に１回または複数回送るよう、受信モジュール２４０４および再送信管理モジュール２４１２により、２４６０を通じて、ＭＣＥによって促される。ある態様では、装置２４０２は、単一サイトＭＢＳＦＮエリアのＳＮＲがＳＮＲ閾値以下であるとき、信号の少なくとも１つのブロードキャスト再送信を送るよう促され得る。
【０１３６】
[00164]ある態様では、ＮＡＣＫ管理モジュール２４１４は、送信モジュール２４０６により、２４６２を通じて、共通ＮＡＣＫリソースについての情報をＵＥ２４５０に送信し、ＵＥ２４５０が信号を復号するのに失敗すると、共通ＮＡＣＫリソースにより、受信モジュール２４０４経由で、２４６４を通じて、ＵＥ２４５０からＮＡＣＫを受信する。ある態様では、共通ＮＡＣＫリソースは、ＵＥ２４５０を含む、ＵＥのグループによって共有され、ＵＥのグループは、装置２４０２を含む１つまたは複数の基地局によってサービスされる。ある態様では、装置２４０２は、装置２４０２を含む１つまたは複数の基地局において受信されたＮＡＣＫのエネルギーメトリックに基づいて信号を再送信するという、ＭＣＥによる決定に基づいて、信号の少なくとも１つのブロードキャスト再送信をＵＥ２４５０に送る。
【０１３７】
[00165]ある態様では、ＮＡＣＫリソースについての情報は、ＳＩＢ１３、ＭＣＣＨ、専用シグナリング、またはそれらの任意の組合せにより、２４６２を通じて送信モジュール２４０６経由で、ＵＥ２４５０に送信される。ある態様では、少なくとも１つのブロードキャスト再送信は、次のＭＳＰの１つまたは複数のパケット中で送られる。ある態様では、装置２４０２は、初回送信と少なくとも１つのブロードキャスト再送信とを区別するために、ＵＥ２４５０への少なくとも１つのブロードキャスト再送信の前に、ＭＳＩ中でインジケータを送信する。
【０１３８】
[00166]ある態様では、ＮＡＣＫ管理モジュール２４１４は、２４６２を通じて送信モジュール２４０６により、共通ＮＡＣＫリソースについての情報と、Ｇ−ＲＮＴＩとをＵＥ２４５０に送信し、ＵＥ２４５０が信号を復号するのに失敗すると、共通ＮＡＣＫリソースにより、受信モジュール２４０４経由で、ＵＥ２４５０からＮＡＣＫを受信する。ある態様では、共通ＮＡＣＫリソースは、ＵＥ２４５０を含む、ＵＥのグループによって共有され、ＵＥのグループは、装置２４０２を含む１つまたは複数の基地局によってサービスされる。ある態様では、装置２４０２は、受信されたＮＡＣＫのエネルギーメトリック、およびＧ−ＲＮＴＩについてのスケジューリングに基づいて、信号の少なくとも１つのブロードキャスト再送信をＵＥ２４５０に送る。
【０１３９】
[00167]ある態様では、少なくとも１つのブロードキャスト再送信は、装置２４０２が再送信すると決定した場合、Ｇ−ＲＮＴＩに従ってスケジュールされる。ある態様では、ＮＡＣＫリソースおよびＧ−ＲＮＴＩは、セルごとに、またはセルごと、グループごとに構成される。ある態様では、ＮＡＣＫリソースについての情報は、ＳＩＢ１３、ＭＣＣＨ、専用シグナリング、またはそれらの任意の組合せにより、ＵＥ２４５０に送信される。
【０１４０】
[00168]本装置は、図１５、図１６、図１９、図２０Ａ、および図２０Ｂの上述のフローチャート中のアルゴリズムのステップの各々を実施する追加のモジュールを含み得る。したがって、図１５、図１６、図１９、図２０Ａ、および図２０Ｂの上述のフローチャート中の各ステップは１つのモジュールによって実施されてよく、本装置は、それらのモジュールのうちの１つまたは複数を含み得る。モジュールは、具体的には記載のプロセス／アルゴリズムを実施するように構成され、記載のプロセス／アルゴリズムを実施するように構成されたプロセッサによって実装され、プロセッサによる実装のためにコンピュータ可読媒体内に記憶され、またはそれらの何らかの組合せである、１つまたは複数のハードウェア構成要素であり得る。
【０１４１】
[00169]図２５は、処理システム２５１４を用いる装置２４０２’のためのハードウェア実装の一例を示す図２５００である。処理システム２５１４は、バス２５２４によって概略的に表されるバスアーキテクチャを用いて実装され得る。バス２５２４は、処理システム２５１４の特定の適用例および全体的な設計制約に応じて、任意の数の相互接続するバスとブリッジとを含み得る。バス２５２４は、プロセッサ２５０４によって表される１つまたは複数のプロセッサおよび／またはハードウェアモジュールと、モジュール２４０４、２４０６、２４０８、２４１０、２４１２、２４１４と、コンピュータ可読媒体／メモリ２５０６とを含む様々な回路を互いにリンクする。バス２５２４は、タイミングソース、周辺装置、電圧調整器、および電力管理回路などの様々な他の回路をリンクすることもできるが、これらの回路は当技術分野でよく知られており、したがってこれ以上は説明しない。
【０１４２】
[00170]処理システム２５１４は、トランシーバ２５１０に結合され得る。トランシーバ２５１０は、１つまたは複数のアンテナ２５２０に結合される。トランシーバ２５１０は、送信媒体を介して様々な他の装置と通信するための手段を備える。トランシーバ２５１０は、１つまたは複数のアンテナ２５２０から信号を受信し、受信された信号から情報を抽出し、抽出された情報を処理システム２５１４、特に受信モジュール２４０４に与える。加えて、トランシーバ２５１０は、処理システム２５１４、特に送信モジュール２４０６から情報を受信し、受信された情報に基づいて、１つまたは複数のアンテナ２５２０に適用されるべき信号を生成する。処理システム２５１４は、コンピュータ可読媒体／メモリ２５０６に結合されたプロセッサ２５０４を含む。プロセッサ２５０４は、コンピュータ可読媒体／メモリ２５０６上に記憶されたソフトウェアの実行を含む全般的な処理の責任を負う。ソフトウェアは、プロセッサ２５０４によって実行されると、処理システム２５１４に、任意の特定の装置のための上記で説明した様々な機能を実施させる。コンピュータ可読媒体／メモリ２５０６はまた、ソフトウェアを実行するときにプロセッサ２５０４によって操作されるデータを記憶するために使用され得る。処理システムは、モジュール２４０４、２４０６、２４０８、２４１０、２４１２、２４１４、またはそれらの任意の組合せのうちの少なくとも１つをさらに含む。それらのモジュールは、プロセッサ２５０４中で動作するか、コンピュータ可読媒体／メモリ２５０６中に存在する／記憶されたソフトウェアモジュールであるか、プロセッサ２５０４に結合された１つもしくは複数のハードウェアモジュールであるか、またはそれらの何らかの組合せであり得る。処理システム２５１４は、ｅＮＢ６１０の構成要素であってよく、メモリ６７６、ならびに／またはＴＸプロセッサ６１６、ＲＸプロセッサ６７０、コントローラ／プロセッサ６７５、もしくはそれらの任意の組合せのうちの少なくとも１つを含み得る。
【０１４３】
[00171]一構成では、ワイヤレス通信のための装置２４０２／２４０２’は、ＭＢＳＦＮエリアのサブ領域中のＵＥに、ブロードキャストを介してサービスを提供するための手段と、１つまたは複数のパラメータに関連付けられた信号をＵＥに送るための手段と、信号は、ＵＥを、ブロードキャストを介したサービスの受信から、ユニキャストを介したサービスの受信に切り替えさせる、を含む。ある態様では、ＭＢＳＦＮエリアはユニキャストエリアよりも小さい。装置２４０２／２４０２’は、基地局であり得る。一構成では、ワイヤレス通信のための装置２４０２／２４０２’は、ユニキャストを介してＵＥにサービスを提供するための手段と、１つまたは複数のパラメータに関連付けられた信号をＵＥに送るための手段と、信号は、ＭＢＳＦＮエリアのサブ領域中で、ＵＥを、ユニキャストを介したサービスの受信から、ブロードキャストを介したサービスの受信に切り替えさせる、を含む。ある態様では、ＭＢＳＦＮエリアはユニキャストエリアよりも小さい。
【０１４４】
[00172]一構成では、ワイヤレス通信のための装置２４０２／２４０２’は、信号の初回送信をＵＥに送るための手段と、少なくとも１つの再送信インジケータをＵＥに送るための手段と、信号の少なくとも１つのブロードキャスト再送信と、信号の初回送信の合成に基づいて、信号の復号を円滑にするために、少なくとも１つの再送信インジケータを送った後、少なくとも１つの再送信インジケータにそれぞれ対応する、信号の少なくとも１つのブロードキャスト再送信をＵＥに送るための手段とを含む。装置２４０２／２４０２’は、基地局であり得る。装置２４０２／２４０２’は、共通ＮＡＣＫリソースについての情報をＵＥに送信するための手段と、ＵＥが信号を復号するのに失敗したとき、ＵＥから、共通ＮＡＣＫリソースによりＮＡＣＫを受信するための手段とをさらに含み得る。ある態様では、共通ＮＡＣＫリソースは、ＵＥを含む、ＵＥのグループによって共有され、ＵＥのグループは、装置２４０２／２４０２’を含む１つまたは複数の基地局によってサービスされる。ある態様では、装置２４０２／２４０２’は、装置２４０２／２４０２’を含む１つまたは複数の基地局において受信されたＮＡＣＫのエネルギーメトリックに基づいて信号を再送信するという、ＭＣＥによる決定に基づいて、信号の少なくとも１つのブロードキャスト再送信をＵＥに送る。装置２４０２／２４０２’は、共通ＮＡＣＫリソースについての情報と、Ｇ−ＲＮＴＩとをＵＥに送信するための手段と、ＵＥが信号を復号するのに失敗したとき、ＵＥから、共通ＮＡＣＫリソースによりＮＡＣＫを受信するための手段とをさらに含み得る。ある態様では、共通ＮＡＣＫリソースは、ＵＥを含む、ＵＥのグループによって共有され、ＵＥのグループは、装置２４０２／２４０２’を含む１つまたは複数の基地局によってサービスされる。ある態様では、装置２４０２／２４０２’は、受信されたＮＡＣＫのエネルギーメトリック、およびＧ−ＲＮＴＩについてのスケジューリングに基づいて、信号の少なくとも１つのブロードキャスト再送信をＵＥに送る。
【０１４５】
[00173]上述の手段は、上述の手段によって具陳される機能を実施するように構成された、装置２４０２および／または装置２４０２’の処理システム２５１４の上述のモジュールのうちの１つまたは複数であり得る。上記で説明したように、処理システム２５１４は、ＴＸプロセッサ６１６と、ＲＸプロセッサ６７０と、コントローラ／プロセッサ６７５とを含み得る。したがって、一構成では、上述の手段は、上述の手段によって具陳された機能を実施するように構成された、ＴＸプロセッサ６１６、ＲＸプロセッサ６７０、およびコントローラ／プロセッサ６７５であり得る。
【０１４６】
[00174]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップが組み合わされてもよく、省略されてもよい。添付の方法クレームは、見本の順序における様々なステップの要素を提示しており、提示された特定の順序または階層に限定されることを意味するものではない。
【０１４７】
[00175]以上の説明は、いかなる当業者も本明細書で説明する様々な態様を実施できるようにするために提供される。これらの態様に対する様々な修正は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明するいかなる態様も、必ずしも他の態様よりも好適または有利である」と解釈されるべきであるとは限らない。別段に明記されていない限り、「いくつかの」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せのうちの少なくとも１つ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せのうちの少なくとも１つ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願発明の当初の特許請求の範囲に記載された発明を付記する。
［Ｃ１］
ユーザ機器（ＵＥ）によるワイヤレス通信の方法であって、
１つまたは複数のパラメータに基づいて、前記ＵＥがマルチキャストブロードキャスト単一周波数ネットワーク（ＭＢＳＦＮ）エリアのサブ領域内に位置するかどうかを決定することと、
前記決定に基づいて、前記ＵＥが前記ＭＢＳＦＮエリアの前記サブ領域内に位置するときはブロードキャストを介して、または前記ＵＥが前記サブ領域内に位置していないときはユニキャストを介して、サービスを受信すること、ここにおいて、前記ＭＢＳＦＮエリアはユニキャストエリアよりも小さい、と
を備える、方法。
［Ｃ２］
前記１つまたは複数のパラメータは、
ブロードキャストサービスに関連付けられた特性、
ユニキャストサービスに関連付けられた特性、
タイミングアドバンス値、
前記ＵＥのロケーション、
パスロス値、
前記ＭＢＳＦＮエリアの前記サブ領域のパラメータ、
ジオメトリ、またはそれらの組合せを備える、
Ｃ１に記載の方法。
［Ｃ３］
前記ＵＥは、ブロードキャストを介して前記サービスを受信し、前記方法は、
前記１つまたは複数のパラメータに基づいて、ブロードキャストを介した前記サービスの受信からユニキャストを介した前記サービスの受信に切り替えることをさらに備える、
Ｃ１に記載の方法。
［Ｃ４］
基地局から、前記１つまたは複数のパラメータに関連付けられた１つまたは複数の閾値を受信することと、
前記１つまたは複数の閾値および前記１つまたは複数のパラメータに基づいて、ブロードキャストを介した前記サービスの受信とユニキャストを介した前記サービスの受信との間で切り替えることと
をさらに備える、Ｃ１に記載の方法。
［Ｃ５］
前記ＵＥは、ブロードキャストを介して前記サービスを受信し、前記方法は、
基地局からハンドオーバコマンドを受信すること、ここにおいて、前記ハンドオーバコマンドは、前記１つまたは複数のパラメータに基づいて前記基地局によって生成される、と、
前記ハンドオーバコマンドに基づいて、ブロードキャストを介した前記サービスの受信から、ユニキャストを介した前記サービスの受信に切り替えることと
をさらに備える、Ｃ１に記載の方法。
［Ｃ６］
前記ＵＥは、ユニキャストを介して前記サービスを受信し、前記方法は、
前記ＭＢＳＦＮエリアからの信号品質を測定することと、
前記測定された信号品質に基づいて、ユニキャストを介した前記サービスの受信から、ブロードキャストを介した前記サービスの受信に切り替えることと
をさらに備える、Ｃ１に記載の方法。
［Ｃ７］
前記ＵＥは、ユニキャストを介して前記サービスを受信し、前記方法は、
前記ＵＥのユニキャスト測定、ＭＢＳＦＮ測定、またはそれらの組合せを実施することと、
前記ＵＥの前記ユニキャスト測定、前記ＭＢＳＦＮ測定、またはそれらの組合せを、基地局に送信することと、
ユニキャストを介した前記サービスの受信から、ブロードキャストベースの前記送信を介した前記サービスの受信に切り替えるためのコマンドを前記基地局から受信することと、
前記コマンドに基づいて、ユニキャストを介した前記サービスの受信から、ブロードキャストを介した前記サービスの受信に切り替えることと
をさらに備える、Ｃ１に記載の方法。
［Ｃ８］
ユーザ機器（ＵＥ）によるワイヤレス通信の方法であって、
基地局から、再送信インジケータを受信することと、
前記再送信インジケータを受信すると、前記基地局から、前記再送信インジケータに対応する信号のブロードキャスト再送信を受信することと、
前記信号を復号するために、前記信号の前記ブロードキャスト再送信と、前記ＵＥによって前に受信された前記信号の初回送信とを合成することと
を備える方法。
［Ｃ９］
前記ブロードキャスト再送信は、前記信号の前記初回送信と同じマルチキャストチャネルスケジューリング期間（ＭＳＰ）または前記信号の前記初回送信とは異なるＭＳＰ中に実施される、
Ｃ８に記載の方法。
［Ｃ１０］
前記基地局から、共通否定応答（ＮＡＣＫ）リソースに関連付けられた情報を受信することと、
前記ＵＥが前記信号を復号するのに失敗したとき、前記共通ＮＡＣＫリソースにより前記基地局にＮＡＣＫを送信すること、ここにおいて、前記共通ＮＡＣＫリソースは、前記ＵＥを含む、ＵＥのグループによって共有される、と
をさらに備え、
前記ＵＥは、前記送信されたＮＡＣＫのエネルギーメトリックに基づいて前記信号を再送信するという、マルチキャスト協調エンティティ（ＭＣＥ）による決定に基づいて、前記信号の前記ブロードキャスト再送信を前記基地局から受信する、
Ｃ８に記載の方法。
［Ｃ１１］
前記ＮＡＣＫリソースに関連付けられた前記情報は、システム情報ブロック１３（ＳＩＢ１３）、マルチキャスト制御チャネル（ＭＣＣＨ）、専用シグナリング、またはそれらの組合せにより、前記ＵＥにおいて受信される、
Ｃ１０に記載の方法。
［Ｃ１２］
前記信号の前記ブロードキャスト再送信は、次のＭＳＰの１つまたは複数のパケット中で受信される、
Ｃ１０に記載の方法。
［Ｃ１３］
前記ＵＥは、前記信号の初回送信と前記ブロードキャスト再送信とを区別するために、前記ブロードキャスト再送信の前に、前記再送信インジケータをマルチキャストチャネルスケジューリング情報（ＭＳＩ）中で受信する、
Ｃ１０に記載の方法。
［Ｃ１４］
共通ＮＡＣＫリソースに関連付けられた情報と、グループ無線ネットワーク一時識別子（Ｇ−ＲＮＴＩ）とを前記基地局から受信することと、
前記ＵＥが前記信号を復号するのに失敗したとき、前記共通ＮＡＣＫリソースにより前記ＵＥからＮＡＣＫを送信すること、ここにおいて、前記共通ＮＡＣＫリソースは、前記ＵＥを含む、ＵＥのグループによって共有される、と
をさらに備え、
前記ＵＥは、前記Ｇ−ＲＮＴＩについてのスケジューリングおよび前記再送信インジケータに基づいて、前記信号の前記ブロードキャスト再送信を受信する、
Ｃ８に記載の方法。
［Ｃ１５］
ワイヤレス通信のためのユーザ機器（ＵＥ）であって、
メモリと、
前記メモリに結合された少なくとも１つのプロセッサと
を備え、前記少なくとも１つのプロセッサは、
１つまたは複数のパラメータに基づいて、前記ＵＥがマルチキャストブロードキャスト単一周波数ネットワーク（ＭＢＳＦＮ）エリアのサブ領域内に位置するかどうかを決定することと、
前記決定に基づいて、前記ＵＥが前記ＭＢＳＦＮエリアの前記サブ領域内に位置するときはブロードキャストを介して、または前記ＵＥが前記サブ領域内に位置していないときはユニキャストを介して、サービスを受信すること、ここにおいて、前記ＭＢＳＦＮエリアはユニキャストエリアよりも小さい、と
を行うように構成される、ＵＥ。
［Ｃ１６］
前記１つまたは複数のパラメータは、
ブロードキャストサービスに関連付けられた特性、
ユニキャストサービスに関連付けられた特性、
タイミングアドバンス値、
前記ＵＥのロケーション、
パスロス値、
前記ＭＢＳＦＮエリアの前記サブ領域のパラメータ、
ジオメトリ、またはそれらの組合せ、
Ｃ１５に記載のＵＥ。
［Ｃ１７］
前記ＵＥは、ブロードキャストを介して前記サービスを受信し、前記少なくとも１つのプロセッサは、
前記１つまたは複数のパラメータに基づいて、ブロードキャストを介した前記サービスの受信からユニキャストを介した前記サービスの受信に切り替えることを行うようにさらに構成される、
Ｃ１５に記載のＵＥ。
［Ｃ１８］
前記少なくとも１つのプロセッサは、
基地局から、前記１つまたは複数のパラメータに関連付けられた１つまたは複数の閾値を受信することと、
前記１つまたは複数の閾値および前記１つまたは複数のパラメータに基づいて、ブロードキャストを介した前記サービスの受信とユニキャストを介した前記サービスの受信との間で切り替えることと
を行うようにさらに構成される、Ｃ１５に記載のＵＥ。
［Ｃ１９］
前記ＵＥは、ブロードキャストを介して前記サービスを受信し、前記方法は、
基地局からハンドオーバコマンドを受信すること、ここにおいて、前記ハンドオーバコマンドは、前記１つまたは複数のパラメータに基づいて前記基地局によって生成される、と、
前記ハンドオーバコマンドに基づいて、ブロードキャストを介した前記サービスの受信から、ユニキャストを介した前記サービスの受信に切り替えることと
をさらに備える、Ｃ１５に記載のＵＥ。
［Ｃ２０］
前記ＵＥは、ユニキャストを介して前記サービスを受信し、前記少なくとも１つのプロセッサは、
前記ＭＢＳＦＮエリアからの信号品質を測定することと、
前記測定された信号品質に基づいて、ユニキャストを介した前記サービスの受信から、ブロードキャストを介した前記サービスの受信に切り替えることと
を行うようにさらに構成される、Ｃ１５に記載のＵＥ。
［Ｃ２１］
前記ＵＥは、ユニキャストを介して前記サービスを受信し、前記少なくとも１つのプロセッサは、
前記ＵＥのユニキャスト測定、ＭＢＳＦＮ測定、またはそれらの組合せを実施することと、
前記ＵＥの前記ユニキャスト測定、前記ＭＢＳＦＮ測定、またはそれらの組合せを、基地局に送信することと、
前記送信に基づいて、ユニキャストを介した前記サービスの受信から、ブロードキャストを介した前記サービスの受信に切り替えるためのコマンドを前記基地局から受信することと、
前記コマンドに基づいて、ユニキャストを介した前記サービスの受信から、ブロードキャストを介した前記サービスの受信に切り替えることと
を行うようにさらに構成される、Ｃ１５に記載のＵＥ。
［Ｃ２２］
ワイヤレス通信のためのユーザ機器（ＵＥ）であって、
メモリと、
前記メモリに結合された少なくとも１つのプロセッサと
を備え、前記少なくとも１つのプロセッサは、
基地局から、再送信インジケータを受信することと、
前記再送信インジケータを受信すると、前記基地局から、前記再送信インジケータに対応する信号のブロードキャスト再送信を受信することと、
前記信号を復号するために、前記信号の前記ブロードキャスト再送信と、前記ＵＥによって前に受信された前記信号の初回送信とを合成することと
を行うように構成される、ＵＥ。
［Ｃ２３］
前記ブロードキャスト再送信は、前記信号の前記初回送信と同じマルチキャストチャネルスケジューリング期間（ＭＳＰ）または前記信号の前記初回送信とは異なるＭＳＰ中に実施される、
Ｃ２２に記載のＵＥ。
［Ｃ２４］
前記少なくとも１つのプロセッサは、
前記基地局から、共通否定応答（ＮＡＣＫ）リソースに関連付けられた情報を受信することと、
前記ＵＥが前記信号を復号するのに失敗したとき、前記共通ＮＡＣＫリソースにより前記基地局にＮＡＣＫを送信すること、ここにおいて、前記共通ＮＡＣＫリソースは、前記ＵＥを含む、ＵＥのグループによって共有される、と
を行うようにさらに構成され、
前記ＵＥは、前記送信されたＮＡＣＫのエネルギーメトリックに基づいて前記信号を再送信するという、マルチキャスト協調エンティティ（ＭＣＥ）による決定に基づいて、前記信号の前記ブロードキャスト再送信を前記基地局から受信する、
Ｃ２２に記載のＵＥ。
［Ｃ２５］
前記ＮＡＣＫリソースに関連付けられた前記情報は、システム情報ブロック１３（ＳＩＢ１３）、マルチキャスト制御チャネル（ＭＣＣＨ）、専用シグナリング、またはそれらの組合せにより、前記ＵＥにおいて受信される、
Ｃ２４に記載のＵＥ。
［Ｃ２６］
前記信号の前記ブロードキャスト再送信は、次のＭＳＰの１つまたは複数のパケット中で受信される、
Ｃ２４に記載のＵＥ。
［Ｃ２７］
前記ＵＥは、前記信号の初回送信と前記ブロードキャスト再送信とを区別するために、前記ブロードキャスト再送信の前に、前記再送信インジケータをマルチキャストチャネルスケジューリング情報（ＭＳＩ）中で受信する、
Ｃ２４に記載のＵＥ。
［Ｃ２８］
前記少なくとも１つのプロセッサは、
共通ＮＡＣＫリソースに関連付けられた情報と、グループ無線ネットワーク一時識別子（Ｇ−ＲＮＴＩ）とを前記基地局から受信することと、
前記ＵＥが前記信号を復号するのに失敗したとき、前記共通ＮＡＣＫリソースにより前記ＵＥからＮＡＣＫを送信すること、ここにおいて、前記共通ＮＡＣＫリソースは、前記ＵＥを含む、ＵＥのグループによって共有される、と
を行うようにさらに構成され、
前記ＵＥは、前記Ｇ−ＲＮＴＩについてのスケジューリングおよび前記再送信インジケータに基づいて、前記信号の前記ブロードキャスト再送信を受信する、
Ｃ２２に記載のＵＥ。
【図１】
0006486946.tif 000002
【図２】
0006486946.tif 000003
【図３】
0006486946.tif 000004
【図４】
0006486946.tif 000005
【図５】
0006486946.tif 000006
【図６】
0006486946.tif 000007
【図７Ａ】
0006486946.tif 000008
【図７Ｂ】
0006486946.tif 000009
【図８Ａ】
0006486946.tif 000010
【図８Ｂ】
0006486946.tif 000011
【図９】
0006486946.tif 000012
【図１０Ａ】
0006486946.tif 000013
【図１０Ｂ】
0006486946.tif 000014
【図１０Ｃ】
0006486946.tif 000015
【図１１】
0006486946.tif 000016
【図１２】
0006486946.tif 000017
【図１３Ａ】
0006486946.tif 000018
【図１３Ｂ】
0006486946.tif 000019
【図１３Ｃ】
0006486946.tif 000020
【図１４Ａ】
0006486946.tif 000021
【図１４Ｂ】
0006486946.tif 000022
【図１５】
0006486946.tif 000023
【図１６】
0006486946.tif 000024
【図１７】
0006486946.tif 000025
【図１８Ａ】
0006486946.tif 000026
【図１８Ｂ】
0006486946.tif 000027
【図１９】
0006486946.tif 000028
【図２０Ａ】
0006486946.tif 000029
【図２０Ｂ】
0006486946.tif 000030
【図２１】
0006486946.tif 000031
【図２２】
0006486946.tif 000032
【図２３】
0006486946.tif 000033
【図２４】
0006486946.tif 000034
【図２５】
0006486946.tif 000035